(57)【要約】導入器システムは、患者における腎臓系に治療を局所的に送達する。近位結合器アセンブリは、第一および第二の腎臓動脈口に付随した腹部大動脈内の位置に、複数のデバイスを同時に送達する、導入器シースに結合される。この結合器アセンブリは、複数の結合されたデバイスの間での実質的な妨害なしで、これらのデバイスの平滑なスライド可能な係合を可能にするように配置された、分枝管腔の網目構造を有する。第一の分枝管腔は、代表的に、血管造影学のような皮下系管腔介入デバイス、または案内カテーテルを、導入器シースに導入し、そしてこのシースの長手方向軸と実質的に整列される。１つ以上の他の分枝管腔は、約３０°以下、この長手方向軸から軸がずれており、そして両側腎臓送達アセンブリの構成要素を、他のデバイスと一緒に、この導入器シースに導入する。複数のデバイスの結合を調整するための、新規な挿入デバイスが提供される。
2006513809.tif 000002
【特許請求の範囲】
【請求項１】
局所腎臓治療手順において使用するための腎臓手術システムを、患者内に提供するための方法であって、以下：
経皮的脈管アクセス部位と腎臓口との間の距離に対応する、カテーテルに沿った長さに基づいて、導入器シースを選択する工程、
を包含し；
ここで、該導入器シースは、異なる長さを有する複数の導入器シースから選択される、方法。
【請求項２】
前記カテーテルが、血管造影カテーテルである、請求項１に記載の方法。
【請求項３】
さらに、以下：
前記経皮的アクセス部位を介して、前記患者における腹部大動脈に接近する工程；
該経皮的脈管アクセス部位を通して、前記カテーテルを挿入する工程；
該カテーテルの遠位端を、腎臓動脈口に付随する腹部大動脈内の位置に位置決めする工程；
該カテーテル上の、該経皮的脈管アクセス部位の相対位置を指標する工程；および
該カテーテルを引き抜き、そして該経皮的アクセス点から該カテーテルの遠位端までの長さを測定する工程、
を包含する、請求項１に記載の方法。
【請求項４】
さらに、以下：
前記選択された導入器シースを、前記経皮的脈管アクセス部位に通して挿入する工程；
該導入器シースの遠位端を、前記位置で位置決めするように進める工程、
を包含する、請求項３に記載の方法。
【請求項５】
さらに、以下：
両側局所腎臓送達システムの局所注入アセンブリを、前記導入器シースの導入器管腔を通して進め、そして前記位置において、該導入器シースの遠位ポートから出す工程；および
流体薬剤を、該局所注入アセンブリを通して前記腎臓動脈内へと注入する工程、
を包含する、請求項４に記載の方法。
【請求項６】
さらに、以下：
腹部大動脈流の第一の領域を、前記位置において、該位置における腹部大動脈流の第二の領域から隔離する工程；および
ある体積の流体薬剤を該第一の領域に注入する工程、
を包含する、請求項５に記載の方法。
【請求項７】
さらに、以下：
それぞれが第一および第二の注入ポートを有する、第一および第二の注入部材を、それぞれ第一および第二の腎臓動脈に、前記位置において対応する第一および第二の腎臓口を介して送達する工程；ならびに
前記体積の流体薬剤を、該第一および第二の注入ポートを同時に通して、該第一および第二の腎臓動脈へと注入する工程、
を包含する、請求項５に記載の方法。
【請求項８】
前記導入器シースが、約３０ｃｍ、３５ｃｍ、４０ｃｍ、および４５ｃｍの長さを有する導入器シースのキットから選択される、請求項に記載の方法。
【請求項９】
局所的腎臓治療システムであって、以下：
管状壁を有する導入器シースであって、該管状壁は、近位端部分、遠位端部分、および導入器管腔を有し、該遠位端部分は、第一および第二の腎臓動脈それぞれの第一および第二の腎臓口に付随する腹部大動脈内の位置に位置決めされるように適合されており、一方で、該近位端部分は、患者から外側に延び、そして該導入器管腔は、該近位端部分に沿った近位ポートと、該遠位端部分に沿った遠位ポートとの間で、長手方向軸に沿って延びる、導入器シース；
局所注入アセンブリを有する両側腎臓送達アセンブリであって、該局所注入アセンブリは、該導入器管腔を通して、第一の状態で、該位置に送達されるように適合されている、両側腎臓送達アセンブリ、
を備え；
該導入器シースは、第一の構成と第二の構成との間で、調節可能な長さを有し；
該第一の構成において、該導入器シースは、第一の長さを有し、該第一の長さは、第一の状態で該位置内へと該局所注入アセンブリを送達するように適合されており；
該第二の構成において、該導入器シースは、該第一の長さより短い第二の長さを有し、該第二の長さは、該位置において該遠位ポートから遠位に、第二の状態で延びる、該局所注入アセンブリに対応し；そして
該第二の状態において、該位置において、該局所注入アセンブリは、該患者の外側の流体薬剤の供給源に結合されるように、そしてある体積の流体を、該供給源から、２つの腎臓動脈の各々へと両方に送達するように適合されている、
システム。
【請求項１０】
前記管状壁が、長さに沿った一連の起伏を有するアコーディオン形状を有する、調節可能なセクションを有し；
前記第一の構成において、該アコーディオン形状は、第一の形状を有し、該第一の形状は、該起伏の第一の長さ、および前記長手方向軸を横断する第一の振幅を有し；
前記第二の構成において、該アコーディオン形状は、該第一の長さより短い第二の長さ、および該第一の振幅より大きい第二の振幅を有する、
請求項９に記載のシステム。
【請求項１１】
さらに、以下：
前記管状壁に結合された調節可能な部材であって、該調節可能な部材は、該管状壁に沿った、前記調節可能なセクションに対する第一の位置と、該管状壁に沿った、該調節セクションに対する第二の位置との間で調節可能である、調節可能部材、
を備え；
該第一の位置は、前記導入器シースについての前記第一の構成に対応し、そして前記起伏を前記第一の振幅に制限し、これによって、該調節可能なセクションを前記第一の長さに伸長させるように、該調節可能なセクションと同時に配置され；
該第二の位置は、該導入器シースの前記第二の構成に対応し、そして該調節可能なセクションから長手軸方向に移動されており；そして
前記第二の形状は、該調節可能なセクションについての記憶形状である、
請求項１０に記載のシステム。
【請求項１２】
前記調節可能な部材が、前記導入器管腔内に配置される、請求項１１に記載のシステム。
【請求項１３】
前記調節可能な部材が、前記管状壁の周りで外側に配置され、そして前記調節可能なセクションを、前記第一の位置で、前記第一の形状に半径方向に制限するように適合されている、請求項１１に記載のシステム。
【請求項１４】
患者における腎臓系に局所的に治療を送達するためのシステムであって、以下：
細長管状本体を有する導入器シースであって、該細長管状本体は、近位部分、遠位部分、および送達管腔を有し、該遠位部分は、該近位端部分が患者から外側に延びる場合に、脈管アクセス部位を横切って該患者内へと経皮的に配置されるように適合されており、そして該送達管腔は、該近位端部分に沿った近位ポートと、該遠位端部分に沿った遠位ポートとの間に延びる長手方向軸に沿って延びる、導入器シース；ならびに
近位部分および遠位部分を有する近位結合器アセンブリ、
を備え；
該遠位部分は、遠位管腔を備え、そして遠位管腔が該送達管腔の該長手方向軸と実質的に整列した状態で、該近位ポートに結合され；
該近位部分が、第一の分枝管腔および第二の分枝管腔を備え、該分枝管腔は、該遠位管腔から近位に延び、そしてそれぞれ、第一の入口ポートおよび第二の入口ポートの近位で終結し；
該第一の入口ポートは、該入口ポートを通して経皮経管腔介入デバイスを受容し、そして該第一の分枝管腔に入れるように適合されており；
該第二の入口ポートは、該第二の入口ポートを通して両側腎臓送達デバイスアセンブリを受容し、そして該第二の分枝管腔に入れるように適合されており；そして
該第一の分枝管腔および第二の分枝管腔は、該遠位管腔に対して充分な配向であり、そして該第一の分枝管腔および第二の分枝管腔、ならびに該遠位管腔および送達管腔は、充分な寸法であり、その結果、該経皮経管腔介入デバイスおよび該両側腎臓送達デバイスの各々は、該遠位管腔内で、そしてさらに、該送達管腔内で同時に、これらの間での実質的な互いの干渉なしでスライド可能に係合し得る、
システム。
【請求項１５】
さらに、以下：
管状壁を有する挿入デバイスであって、該管状壁は、近位端および遠位端、ならびに該近位端に沿った近位挿入ポートと該遠位端に沿った遠位挿入ポートとの間で延びる挿入管腔を有し、そしてまた、外径を有する、挿入デバイス、
をさらに備え；
該遠位部分は、遠位セクションおよび近位セクションを備え；
該遠位セクションに沿った該遠位管腔は、遠位内径を有し；
該近位セクションに沿った該遠位管腔は、該遠位内径より大きい近位内径を有し；
内径の移行部が、該近位セクションと遠位セクションとの間に存在し；
該挿入デバイスの外径が、該遠位内径より大きいが、該近位内径より小さく；
該挿入デバイスが、前記第二の入口ポートを通し、前記第二の分枝管腔を通して、該近位セクションに沿った該遠位管腔に挿入されるように適合されるが、該移行部が、ある位置において止めを提供し、該位置において、該管状部材の該遠位端が、該遠位セクションに沿って該遠位管腔内に遠位に進められることを防止され；
該挿入デバイスの該管状壁の該外径が、該挿入デバイスの該遠位端が該位置に位置する状態で、前記経皮経管腔介入デバイスが、該遠位セクションに沿って該遠位管腔に入ることをブロックする、
請求項１４に記載のシステム。
【請求項１６】
前記挿入デバイスの前記管状壁が、もろく、そして剥離変換器を備え；
該挿入デバイスが、前記位置において、前記両側腎臓送達デバイスを前記遠位管腔に挿入するように適合されており；そして
前記挿入デバイスが、該遠位管腔に導入された該両側腎臓送達デバイスを超えて引き抜かれ、そして該両側腎臓送達デバイスから剥離されるように適合されている、
請求項１５に記載のシステム。
【請求項１７】
前記挿入管腔が、挿入直径を有し；
該挿入直径が、前記両側腎臓送達デバイスと前記経費経管腔送達デバイスとの両方をスライド可能に係合するために十分であり、
前記挿入デバイスの前記遠位端が前記位置にある状態で、該挿入デバイスの前記管状壁は、該経皮経管腔介入デバイスが、前記第一の分枝管腔を介して前記遠位管腔に入ることを実質的にブロックし；そして
針をさらに備え、該針は、前記第一の入口ポートを介して該第一の分枝管腔に挿入されるように、そして該管状壁に開口部を穿孔するように適合されており；そして
該経皮経管腔介入デバイスは、該第一の管腔を介して、該開口部を通して該遠位管腔に挿入されるように適合されており、一方で、該両側腎臓送達デバイスは、該挿入管腔内に共存する、
請求項１５に記載のシステム。
【請求項１８】
前記第一の分枝管腔が、第一の長手方向軸を備え、該第一の長手方向軸は、前記送達管腔の前記長手方向軸と実質的に長手方向で整列しており；
前記第二の分枝管腔が、第二の長手方向軸を備え、該第二の長手方向軸は、該第一の長手方向軸から、約３０°以下軸がずれている、
請求項１４に記載のシステム。
【請求項１９】
前記第二の長手方向軸が、該第一の長手方向軸から、約２０°軸がずれている、請求項１８に記載のシステム。
【請求項２０】
さらに、以下：
管状壁を有する挿入デバイスであって、該管状壁は、近位端および遠位端、および該近位端に沿った近位挿入ポートと該遠位端に沿った遠位挿入ポートとの間に延びる内径内の挿入管腔を有し、そしてまた、該近位端と遠位端との間の該管状壁を通る、少なくとも１つの側壁開口部を有する、挿入デバイス、
を備え、
該挿入デバイスの外径は、該第一の入口ポートおよび第一の分枝管腔を介して、該遠位管腔に挿入されるように適合されており、その結果、該側壁か移行部は、該第二の分枝管腔と位置合わせされ；そして
該内径は、前記経皮経管腔介入デバイスおよび該両側腎臓送達デバイスの各々を、該内径に通してスライド可能に係合するために十分に大きく；そして
該挿入デバイスは、該第二の入口ポートおよび第二の分枝管腔を介して、該第二の分枝管腔と位置合わせされた該側壁開口部を通して挿入された、該両側腎臓送達デバイスを受容するように適合されている、
請求項１４に記載のシステム。
【請求項２１】
前記挿入デバイスの前記管状壁が、実質的に剛性の材料を含有する、請求項２０に記載のシステム。
【請求項２２】
前記挿入デバイスの前記管状壁が、ハイポチューブを備える、請求項２１に記載のシステム。
【請求項２３】
さらに、以下：
前記第一および第二の分枝管腔が、前記遠位管腔に対して充分な配向であり、そして該第一および第二の分枝管腔ならびに遠位管腔および送達管腔が、充分な寸法であり、その結果、焼く６フレンチまでの大きさの経皮経管腔介入デバイスと、約１フレンチと約３フレンチとの間の大きさの両側腎臓送達デバイスとの各々が、該遠位管腔内、およびさらに、該送達管腔内に同時に、これらの間での実質的な互いの干渉なしでスライド可能に係合し得る、
請求項１４に記載のシステム。
【請求項２４】
さらに、以下：
約６フレンチまでの大きさである送達カテーテル；および
細長本体を有する両側局所腎臓送達しステムであって、該細長本体は、約１フレンチと約３フレンチとの間の大きさである近位端部分、および遠位端部分に沿った局所注入アセンブリを有する遠位端部分を有する、両側局所腎臓送達システム、
を備え；
該局所注入アセンブリが、前記遠位管腔および第二の分枝管腔を介して、前記第二の入口ポートを通して、前記送達管腔内に挿入されるように適合されており；
該送達カテーテルが、前記第一の分枝管腔の前記遠位管腔および第一の入口ポートを介して、該送達管腔内に送達されるように適合されており；そして
該細長本体の該近位端部分および該送達カテーテルが、送達管腔内で、該第一および第二の分枝管腔をそれぞれを介して、これらの間での実質的な干渉なしで、同時にスライド可能に係合されるように適合されている、
請求項１４に記載のシステム。
【請求項２５】
前記送達カテーテルが、血管造影カテーテルを備える、請求項２４に記載のシステム。
【請求項２６】
前記送達カテーテルが、冠状案内カテーテルを備える、請求項２４に記載のシステム。
【請求項２７】
前記局所送達アセンブリが、それぞれ第一の注入ポートおよび第二の注入ポートを有する、第一の送達部材および第二の送達部材を備え；
該第一および第二の送達部材が、第一の構成において、前記遠位管腔および第二の分枝管腔を介して、前記送達管腔に導入されるように適合されており、該第一の構成は、互いに対して前記長手方向軸に関して半径方向につぶれた配向で配置され；
該第一及び第二の送達部材は、第二の構成に対する位置において調節可能であり、該第二の構成は、前記遠位ポートから遠位に進められており、そして互いに対して、該長手方向軸に関して、半径方向に拡張した配向で配置されており；そして
該第一および第二のポートは、第一および第二の位置に送達されるように適合されており、該第一および第二の位置は、ある体液の流体薬剤を、それぞれ第一の腎臓動脈および第二の腎臓動脈の両側に注入するように適合されている、
請求項２４に記載のシステム。
【請求項２８】
前記両側腎臓送達アセンブリが、流れ隔離アセンブリをさらに備え、該流れ隔離アセンブリは、腹部大動脈流の第一の領域を、腹部大動脈流の第二の領域から、前記位置で隔離するように適合されており；そして
前記局所送達アセンブリが、ある体積の流体薬剤を、該患者の外側の供給源から該第一の領域へと注入するように適合されている、
請求項２４に記載のシステム。
【請求項２９】
拡張器であって、経皮穿孔創傷を通して前記導入器シースを受容するために充分な直径まで、該経皮穿孔創傷を拡張するように適合されている、拡張器、
をさらに備える、請求項１４に記載のシステム。
【請求項３０】
前記第一および第二の入口ポートにそれぞれ結合された、第一および第二の調節可能な止血弁、
をさらに備える、請求項１４に記載のシステム。
【請求項３１】
前記導入器シースが、約３０ｃｍ〜約４５ｃｍの長さの間の、前記近位ポートと前記遠位ポートとの間の長さを有する、請求項１４に記載のシステム。
【請求項３２】
前記導入器シースが、約８フレンチの大きさを有する、請求項１４に記載のシステム。
【請求項３３】
患者の腎臓系に治療を局所的に送達するためのシステムであって、以下：
細長管状本体を有する導入器シースであって、該細長管状本体は、近位端部分、遠位端部分、および送達管腔を有し、該遠位端部分は、該近位端部分が該患者から外側に延びている場合に、脈管アクセス部位を横切って、患者内に経皮的に配置されるように適合されており、そして該送達管腔は、該近位端部分に沿った近位ポートと、該遠位端部分に沿った遠位ポートとの間で、長手方向軸に沿って延びる、導入器シース；ならびに
近位部分および遠位部分を有する、近位結合器アセンブリ、
を備え；
該遠位部分は、遠位管腔アセンブリを備え、そして該遠位管腔が該送達管腔の該長手方向軸と実質的に整列した状態で、該近位ポートに結合され；
該近位部分は、第一の分枝管腔、第二の分枝管腔、および第三の分枝管腔を備え、該分枝管腔は、該遠位管腔アセンブリから近位に延び、そしてそれぞれ、第一の入口ポート、第二の入口ポート、および第三の入口ポートにおいて、近位で終結し；
該第一の入口ポートは、該第一の入口ポートを通して、経皮経管腔介入デバイスを受容し、該第一の分枝管腔に入れるように適合されており；
該第二の入口ポートは、該第二の入口ポートを通して、両側腎臓送達システムの第一の送達部材を受容し、そして該第二の分枝管腔に入れるように適合されており；
該第三の入口ポートは、該第三の入口ポートを通して、該両側腎臓送達システムの第二の送達部材を受容し、そして該第三の分枝管腔に入れるように適合されており、
該第一および第二の分枝管腔は、該遠位管腔アセンブリに対して充分な配向であり、そして該第一、第二、および第三の分枝管腔、遠位管腔アセンブリ、ならびに送達管腔は、充分な寸法であり、その結果、該両側腎臓送達システムの該第一および第二の送達部材、ならびに該経皮経管腔介入デバイスの各々が、該遠位管腔アセンブリ内、およびさらに、該送達管腔内で同時に、これらの間での実質的な互いの干渉なしでスライド可能に係合し得る、
システム。
【請求項３４】
前記遠位管腔アセンブリが、前記第二の分枝管腔と第三の分枝管腔との両方に結合された、共通の送達管腔を備える、請求項３３に記載のシステム。
【請求項３５】
前記第一の分枝管腔が、前記導入器シースの前記長手方向軸と実質的に整列した第一の長手方向軸を有し；
前記第二の分枝管腔が、約３０°以下、該第一の長手方向軸に対して軸がずれている、第二の長手方向軸を有し；そして
前記第三の分枝管腔が、約３０°以下、該第一の長手方向軸に対して軸がずれている、第三の長手方向軸を有する、
請求項３３に記載のシステム。
【請求項３６】
前記第二および第三の長手方向軸が、約２０°以下、前記第一の長手方向軸に対して軸がずれている、請求項３５に記載のシステム。
【請求項３７】
約６フレンチまでの大きさである送達カテーテル；
第一の送達部材および第二の送達部材を有する両側局所腎臓送達システムであって、約１フレンチと約３フレンチとの間の大きさを有する、両側局所腎臓送達システム、
をさらに備え；
該第一および第二の送達部材が、第一の構成において、前記遠位管腔アセンブリ、ならびにそれぞれ、前記第二および第三の分枝管腔を介して前記送達管腔に導入されるように適合されており、該第一の構成は、互いに対して、該長手方向軸に関して、半径方向につぶれた配向で配置されており；
該第一および第二の送達部材は、第二の構成に対する位置において、調節可能であり、該第二の構成は、前記遠位ポートから遠位に進められており、そして互いに対して、該長手方向軸に関して、半径方向に拡張した配向で配置されており；そして
該第一および第二のポートは、第一の位置および第二の位置に送達されるように適合されており、該第一の位置および第二の位置は、ある体積の流体薬剤を、それぞれ、第一の腎臓動脈および第二の腎臓動脈内に療法に注入するように適合されている、
請求項３３に記載のシステム。
【請求項３８】
前記送達カテーテルが、血管造影カテーテルを備える、請求項３７に記載のシステム。
【請求項３９】
前記送達カテーテルが、冠状案内カテーテルを備える、請求項３７に記載のシステム。
【請求項４０】
拡張器であって、該拡張器は、経皮穿孔創傷を通して前記導入器シースを受容するために充分な直径まで、該経皮穿孔創傷を拡張するように適合されている、拡張器、
をさらに備える、請求項３３に記載のシステム。
【請求項４１】
前記第一、第二、および第三の入口ポートにそれぞれ結合された、第一、第二、および第三の調節可能な止血弁、
をさらに備える、請求項３３に記載のシステム。
【請求項４２】
前記導入器シースが、約３０ｃｍと約４５ｃｍとの間の長さである、前記近位ポートと前記遠位ポートとの間の長さを有する、請求項３３に記載のシステム。
【請求項４３】
前記導入器シースが、約８フレンチの大きさを有する、請求項１４に記載のシステム。
【発明の詳細な説明】
【技術分野】
【０００１】
（関連出願の引用）
本願は、２００２年９月２０日に出願された、米国仮出願番号６０／４１２，４７６（この全体が、参考として本明細書中に援用される）から優先権を主張する。
【０００２】
本願は、２００３年７月９日に出願された、米国仮出願番号６０／４８６，２０６（この全体が、参考として本明細書中に援用される）から優先権を主張する。
【０００３】
本願は、速達郵便物番号ＥＶ３５２３０５１７ＵＳによって２００２年９月２０日に出願された、米国仮出願番号６０／４１２，４７６（この全体が、参考として本明細書中に援用される）から優先権を主張する。
【０００４】
（連邦により補助された研究または開発に関する言及）
適用なし。
【０００５】
（コンパクトディスクで提出された、参考として援用される内容）
適用なし。
【０００６】
（発明の背景）
（１．発明の分野）
本発明は、医療デバイスの分野に関し、そしてより具体的には、流体または薬剤を、患者の身体内に局所的に送達するためのカテーテルを挿入するためのシステムおよび方法に関する。なおより具体的には、本発明は、流体または薬剤を、分枝血管または体腔内へと、それぞれ主要な脈管または管腔から、特に、患者における大動脈から延びる腎臓動脈内に局所的に送達するためのカテーテルを挿入するための、システムおよび方法に関する。
【背景技術】
【０００７】
（２．関連技術の説明）
流体または他の薬剤を、種々の身体領域（脈管が挙げられる）または他の身体空間（例えば、器官もしくは心臓チャンバ）に局所送達するための、多くの様々な医療デバイスシステムおよび方法は、以前に開示された。局所「流体」送達システムは、薬物または他の薬剤を含み得るか、あるいはさらに、身体自体の流体を局所的に送達すること（例えば、人工的に増強された血液輸送（例えば、１つの場所から別の場所への血液の方向付けもしくは遮断のような、身体内全体で、あるいは外部血液ポンプなどを介するような、体外様式のいずれか））を含み得る。局所的な「薬剤」送達システムは、本明細書中で、一般に、薬剤のような外来組成物（これには、薬物または他の有用もしくは活性な薬剤が挙げられ得、そして流体形態または他の形態（例えば、ゲル、固体、粉末、気体など）であり得る）を身体内に導入することに関することが意図される。局所送達の説明に関して、用語流体、薬物、または薬剤の内の１つのみに対する言及は、本開示において、例示的な目的で様々になされ得るが、一般に、他の者を排他的にも無視できるようにも意図されないことが理解されるべきである；これらの用語は、他のように具体的に記載されない限り、当業者によって適切である場合に、交換可能に考慮されるべきである。
【０００８】
一般に、局所薬剤送達システムおよび方法は、しばしば、身体内の他の箇所において薬剤の意図されない末梢効果を最小にしながら、意図される効果を局所的に最大にする目的で、身体内に注入される、比較的高い、局在した濃度の薬剤を達成するという利益により使用される。特定の用量の局所送達される薬剤が、意図される局所効果のために効力があり得る場合、全身送達される同じ用量は、同じ位置に達する前に、身体にわたってかなり希釈される。この薬剤の意図される局所効果は、等しく希釈され、そして効力が犠牲にされる。従って、全身の薬剤送達は、効力のために必要とされる局所用量を達成するために、より高い投薬量を必要とし、しばしば、薬剤が身体全体の位置を通して、意図される標的以外の身体に送達され、そしてプロセシングされるにつれて、例えば、この薬剤の全身反応または副作用に起因する、犠牲にされた安全性を生じる。
【０００９】
色素（例えば、放射線不透過性の「造影」剤）または他の診断薬剤の局所送達を使用する、種々の診断システムおよび手順が開発され、ここで、外部モニタリングシステムが、送達位置および／もしくは送達部位によって影響を受ける他の位置においての、この診断薬剤の身体内での移動または吸収に基づく、重要な生理学的情報を収集し得る。血管造影術は、放射線不透過色素を血液チャンバまたは血管（例えば、冠状脈血管造影術の場合には冠状動脈、または心室造影術の場合には心室）に局所注入するために、中空の管状血管造影カテーテルを使用する、１つのこのような実施である。
【００１０】
治療剤を、患者内の特定の身体組織内に、体腔を介して局所送達するための、他のシステムおよび方法が開示された。ちょうど上で記載された型の例えば、血管造影カテーテル、および他の類似の管状送達カテーテルがまた、治療剤を、これらの送達管腔を介して身体内の空間に局所注入する際に使用するために、開示されている。この型のより詳細な例としては、ＴＰＡＴＭ、ヘパリン、クマジン、またはウロキナーゼのような血栓溶解性薬物の、既存の血餅または移植物または脈管損傷の領域内へ局所送達が挙げられる。さらに、種々のバルーンカテーテルシステムがまた、治療剤を、標的体腔または空間に、特に、血管に関連する体腔または空間に局所投与するために、開示されている。この型のカテーテルの１つの例としては、バルーンの壁を通して周囲の組織（例えば、血管壁）内へと薬物薬剤を溶出する、多孔性または穿孔された壁を有するバルーンが挙げられる。治療剤の局所送達のためのなおさらなる例としては、間隔を開けたバルーンを有する種々の複数バルーンカテーテルが挙げられる。これらのバルーンは、中間カテーテル領域を、バルーンにわたる流入または流出から隔離する目的で、管腔または血管壁と係合するように、膨張される。これらの例に従って、流体薬剤送達システムは、この領域を薬剤（例えば、バルーンの間での隔離された領域で、意図される効果を提供する薬物）で満たす目的で、しばしば、この中間領域と組み合わせられる。
【００１１】
種々の異なる身体系、器官、および組織に関連する、多くの異なる型の医学的状態の診断または処置はまた、流体または薬剤を制御された様式で局所送達する能力から利益を得ることが可能である。具体的には、腎臓系に関する種々の状態が、治療剤、予防剤、または診断剤を、腎臓動脈内に局所送達する能力から、かなりの利益を得る。
【００１２】
急性腎不全（「ＡＲＦ」）は、腎臓の、患者の血液から老廃物を排出する能力における、急激な疾患である。この腎機能の変化は、多くの原因に起因し得る。外傷性事象（例えば、適切な流体交換なしでの出血、胃腸流体の損失、または腎臓流体の損失）は、患者をＡＲＦに進ませ得る。患者はまた、麻酔、手術、またはα−アドレナリン作用性アゴニストを受けた後に、関連する全身または腎臓の血管収縮に起因して、ＡＲＦにかかりやすくなり得る。さらに、過敏症および抗高血圧薬物、敗血症または薬物の過剰投薬によって引き起こされる、全身血管拡張もまた、ＡＲＦを引き起こし得る。なぜなら、身体の天然の防御が遮断されるから（すなわち、腎臓のような非必須器官の血管収縮）である。心臓発作、鬱血性心不全、心臓周囲タンポナーデまたは広範な肺水腫によって引き起こされる、減少した心臓吐出は、身体内で過剰の流体を産生し、これは、鬱血性心不全を悪化させ得る。例えば、減少した心臓吐出に起因する、腎臓における血流および血圧の低下は、次に、患者に身体内での過剰の流体の保持を生じ得、例えば、肺または全身での水腫をもたらし得る。
【００１３】
ＡＲＦを処置するため、または鬱血性心不全（「ＣＨＦ」）に関連する急性腎不全を処置するための、以前に公知の方法は、薬物の投与を包含する。この目的で使用されているような薬物の例としては、以下が挙げられるが、これらに限定されない：血管拡張剤（例えば、ｐａｐａｖａｒｉｎｅ、ｆｅｎｏｌｄｏｐａｍ  ｍｅｓｙｌａｔｅ、カルシウムチャンネル遮断薬、動脈栄養ペプチド（ＡＮＰ）、アセチルコリン、ニフェジピン、ニトログリセリン、ｎｉｔｒｏｐｒｕｓｓｉｄｅ、アデノシン、ドパミン、およびテオフィリンが挙げられる）；酸化防止剤（例えば、アセチルシステインが挙げられる）；ならびに利尿剤（例えば、マンニトール、またはｆｕｒｏｓｅｍｉｄｅなど）。しかし、これらの薬物の多くは、全身用量で投与される場合に、所望でない副作用を有する。さらに、これらの薬物の多くは、ＡＲＦの他の原因を処置する際に有用ではない。例えば、深い全身血管拡張を有する敗血性ショックの患者は、しばしば、付随する重篤な腎臓血管収縮を有するが、腎臓動脈を拡張させるための血管拡張剤を全身血管拡張に罹患する患者に投与することは、血管拡張系を広く合成する。さらに、重篤なＣＨＦに罹患する患者（例えば、心臓移植を待っている患者）については、機械的方法（例えば、血液透析または左心房停止デバイス）が移植され得る。しかし、外科用デバイスの介入（例えば、血液透析）は、一般に、ＣＨＦの長期間にわたる管理のためにはさほど効果的ではないことが観察されている。このような介入はまた、ＡＲＦに罹患する強い心臓を有する多くの患者に適用可能ではない。
【００１４】
多くの患者における腎臓系はまた、他の医療デバイス介入の潜在的に危険な影響に対する特定の虚弱、または他の一般的な曝露に罹患し得る。例えば、身体の主要な血液濾過ツールの１つとしての腎臓は、例えば、冠状血管造影手順、心臓血管造影手順、または神経血管造影手順の間に、高密度の放射線不透過造影色素への曝露から損傷を受け得る。「放射線造影ニューロパシー」または「ＲＣＮ」として公知の、１つの特に危険な状態は、しばしば、このような手順において観察され、ここで、腎機能の急激な損傷は、このようなレントゲン写真術の造影剤への曝露に引き続いて起こり、代表的に、ベースラインより２５％を超えて高い血清クレアチンレベルの上昇、または０．５ｍｇ／ｄｌの絶対的な上昇を、４８時間以内で生じる。従って、ＣＨＦに加えて、ＲＣＮに関連する腎臓損傷はまた、頻繁に、ＡＲＦの観察される原因である。さらに、腎臓の機能は、心臓の吐出に直接関連し、そして腎臓系への血圧に関連する。これらの生理学的パラメータもまた、ＣＨＦの場合と同様に、血管形成術、冠状動脈バイパス、弁修復または交換、あるいは他の心臓介入手順のような外科的介入の間に、有意に犠牲にされ得る。従って、ＣＨＦのような他の状態に関連するＡＲＦを経験する患者を処置するために使用される種々の薬物はまた、ＲＣＮの結果としてＡＲＦに罹患した患者を処置するために使用されている。このような薬物はまた、急激に犠牲にされた血液動力学に関連するＡＦを処置または予防するためのかなりの利点を、例えば、外科的介入の間に、腎臓系に提供する。
【００１５】
従って、このような薬物を腎臓動脈内に局所的に送達する能力からの大きな利点が、特に、外科的介入と同時に送達される場合、および特に、放射線造影色素の送達と当時に送達される場合に、存在する。しかし、多くのこのような手順は、医療デバイスシステムを用いて、例えば、代表的に４フレンチ〜約１２フレンチの間の範囲、そして一般に、血管形成術またはステントデバイスを冠状動脈または神経血管動脈（例えば、頸動脈）に送達するためのガイドカテーテルシステムの場合には、約６フレンチ〜約８フレンチの間の範囲の外径を有する、案内カテーテルまたは心臓画像化カテーテルを使用して、実施される。これらのデバイスはまた、最も代表的には、それらのそれぞれの使用位置（例えば、冠状口）まで、大腿動脈内の経皮的な経管腔的な接近を介して、そして腎臓動脈口の領域を通って大動脈に沿って上流への逆行性送達で、送達される。大腿動脈へのＳｅｌｄｉｎｇｅｒアクセス技術は、動脈壁を通る介入窓の大きさを最小にするように、比較的制御された穿孔穴の拡張を包含し、そしてこのような送達システムの輪郭が十分に小さい場合に、好ましい方法である。そうでなければ、より大きいシステムについては、より大きい、動脈壁を通して外科的に作製されたアクセス窓を包含する、「切り倒し」技術が、使用される。
【００１６】
従って、大動脈内カテーテルを、送達シースを通して、他の逆行性に送達される医療デバイスシステム（例えば、上にちょうど記載された型のもの）と同時に挿入するための、システムおよび方法が、好ましくは、このような介入デバイスシステム（特に、ちょうど記載された型および寸法のもの）が、（ａ）薬剤が腎臓動脈内に局所送達されている間に、そして（ｂ）血液が腎臓動脈口を横切って下流に流れることを可能にしながら、そして（ｃ）Ｓｅｌｄｉｎｇｅｒ大腿動脈アクセスを可能にする全体の共同システムにおいて、腎臓動脈口を横切って上流に通ることを可能にするために、適合される。これらの特徴（ａ）、（ｂ）、または（ｃ）の各１つ、あるいはこれらの任意の部分組み合わせが、患者の処置に対して有意な価値を提供する；３つ全ての特徴の組み合わせを提供する局所腎臓送達システムは、特に価値がある。
【００１７】
このようなシステムおよび方法に対する明らかな必要性、ならびに大動脈内カテーテルを送達シースに通して挿入するためのこのようなシステムおよび方法から得られる利点にもかかわらず、このようにする能力は、独特の課題を提示する。
【００１８】
最後に、他のさらなる問題のうちでもとりわけ、以前の開示は、これらの型の局所薬剤送達デバイスを、上流の介入のために使用されるさらなる医療デバイス（例えば、血管造影カテーテルまたはガイドカテーテル）と共有される共通の導入器またはガイドシースを通して腎臓動脈で配置するための、効果的かつ安全なシステムおよび方法を、まだ記載していない。特に、複数の腎臓動脈の同時の注入のための複数の送達カテーテルと同時にこのようにするためには、好ましいＳｅｌｋｉｎｇｅｒ脈管アクセス技術が利用可能ではないようであり、その代わりに、さほど望ましくない「切り倒し」技術を必要とするような有意な寸法のガイドシースがさらに必要とされる。
【００１９】
特定の以前の開示は、大動脈から延びる分枝動脈内への血液送達を増強することが意図された、外科用デバイスアセンブリおよび方法を提供した。例えば、血流を特定の分枝動脈内に送達する際に使用するための、大動脈内バルーンポンプ（ＩＡＢＰ）が開示された。１つのこのような技術は、バルーンが分枝動脈のわずかに下に（近位に）配置されるように、ＩＡＢＰを腹部大動脈に配置する工程を包含する。このバルーンは、（生理学的圧力周期に対して）逆に脈動する様式で選択的に膨張および収縮され、その結果、バルーンの遠位での増加した圧力が、より多くの部分の血流を、原理的に、それらの口の領域で、分枝動脈内に方向付ける。しかし、このようなバルーンシステムの下流の、より低い極限への流れは、この逆の脈動サイクルの部分の間に、選択的に閉鎖され得る。さらに、このような以前に開示されたシステムは、所望でない虚血を防止するために十分な、連続的かつかなりの下流の灌流を可能にしながら、薬物または薬剤を分枝動脈に送達する能力を、一般的に欠く。
【００２０】
器官または組織の処置または診断のための薬剤を局所送達することに関する興味および利点にもかかわらず、すぐ上で要約された、以前に開示されたシステムおよび方法は、一般に、かなりの量の血流および／または他の利用デバイスの、分枝を通過して主要な動脈を通る通過を可能にしながら、主要な動脈内から、実質的にこの動脈から延びる分枝動脈のみに局所的に効率的に薬剤を送達する能力を、一般的に欠く。このことは、特に、以前に議論された腎臓処置および診断のデバイスおよび方法の場合にそうであり、これは、腎臓口を通っての連続的な下流へのかなりの血流を可能にしながら、そして／または遠位医療デバイスアセンブリが、上流での使用のために腎臓口を逆行性に横切って通過することを可能にしながら、大動脈内の位置からの腎臓系内への薬剤の局所送達を十分には提供しない。薬剤（例えば、予防薬物または治療薬物、あるいは放射線不透過造影色素）が、このような様式で腎臓動脈の一方または両方に送達され得る場合に、利点が得られる。
【００２１】
しかし、このような以前に開示された設計は、特定のデバイスが、患者の間での広範な解剖学的寸法に適合するために有用な大きさの範囲を最大にする目的；ならびに効率的な非外傷性使用のための構成、設計、およびシステム構成要素間の協働を最適にする目的での、さらなる改変および改善からさらに利益を得る。
【発明の開示】
【発明が解決しようとする課題】
【００２２】
流体または薬剤の送達を、患者の大動脈内の、大動脈壁に沿った腎臓動脈口に隣接する位置から局所的に隔離し、同時に、他の処置または診断のデバイスおよびシステム（例えば、血管造影カテーテルデバイスまたは案内カテーテルデバイス、および関連するシステム）が、この位置を横切って送達されることを可能にするための、改善されたデバイスおよび方法に対する必要性が、依然として存在する。
【００２３】
局所腎臓薬物送達システムと、少なくとも１つの付属的な遠位介入デバイス（例えば、血管造影カテーテルまたは案内カテーテル）との両方を、共通の送達シースを通して送達するための、改善されたデバイスおよび方法に対する必要性が、依然として存在する。
【００２４】
局所腎臓薬物送達システムと、少なくとも１つの付属的な遠位介入デバイス（例えば、血管造影カテーテルまたは案内カテーテル）との両方を、単一のアクセス部位（例えば、単一の大腿動脈穿孔）を通して送達するための、改善されたデバイスおよび方法に対する必要性もまた、依然として存在する。
【００２５】
導入器シース関空内へと、１つ以上のデバイスを平滑に通るために必要な穴、移行角度および取付具を備えて構成された、改善されたデバイスに対する必要性が、依然として存在する。
【００２６】
局所腎臓薬物送達システムおよび大動脈アクセスの、共通に利用可能なカテーテルおよび介入設備を用いた配置を可能にするための、調節可能なシースに対する必要性が、依然として存在する。  
【課題を解決するための手段】
【００２７】
（発明の簡単な要旨）
本発明の１つの局面は、患者における局所腎臓治療手順において使用するための腎臓治療システムを提供するための方法であり、この方法は、経皮脈管アクセス部位と腎臓口との間の距離に対応する、カテーテルに沿った長さに基づいて、導入器シースを選択する工程による。この導入器シースは、異なる長さを有する複数の導入器シースから選択される。
【００２８】
１つの様式は、以下を包含する：患者における腹部大動脈を、経皮アクセス部位を介して評価する工程；上記カテーテルを、この経皮血管アクセス部位を通して挿入する工程；このカテーテルの遠位端を、腹部大動脈内の、腎臓動脈口に関連する位置で位置決めする工程；経皮血管アクセス部位の相対位置を、上記カテーテル上で指標する工程；および上記カテーテルを引き抜き、そしてその長さを、経皮アクセス点から上記カテーテルの遠位端まで測定する工程。
【００２９】
本発明の別の局面は、局所腎臓治療システムであり、このシステムは、管状壁を有する導入器シースを備え、この管状壁は、近位端部分、この近位端部分が患者から外側に延びる場合に、第一および第二の腎臓動脈のそれぞれの第一および第二の腎臓口に関連する腹部大動脈内の位置に配置されるように適合された、遠位端部分、ならびに近位端部分に沿った近位ポートと遠位端部分に沿った遠位ポートとの間の長手方向軸に沿って延びる導入器管腔を有する。導入器管腔を通して、第一の状態における位置に送達されるように適合された、局所注入アセンブリを有する、両側腎臓送達アセンブリもまた、提供される。この導入器シースは、第一の構成と第二の構成との間で調節可能な長さを有する。第一の構成において、この導入器シースは、第一の状態において、局所注入アセンブリを上記位置に送達するように適合された、第一の長さを有する。第二の構成において、上記導入器シースは、第一の長さより短く、そして第二の状態において、上記位置に置いて遠位ポートから遠位に延びる局所注入アセンブリに対応する、第二の長さを有する。さらに、第二の構成において、上記の位置において、上記局所注入アセンブリは、患者の外側の流体薬剤の供給源に結合され、そしてある体積の流体を、この供給源から、２つの腎臓動脈の各へと両側に送達するように適合される。
【００３０】
本発明の別の局面は、患者における腎臓系に治療を局所的に送達するための、以下のような近位結合器アセンブリと組み合わせて導入器シースを備えるシステムである。この導入器シースは、細長管状本体を有し、この細長管状本体は、近位端部分、この近位端部分が患者から外側に延びている場合に、脈管アクセス部位を横切って患者内に経皮的に配置されるように適合された遠位端部分、および近位端部分に沿った近位ポートと遠位端部分に沿った遠位ポートとの間に延びる長手方向軸に沿って延びる送達管腔を有する。近位結合器アセンブリは、近位部分および遠位部分を有する。遠位部分は、遠位管腔を備え、そして遠移管腔が送達管腔の長手方向軸と実質的に整列した状態で、近位ポートに結合される。近位部分は、第一の分枝管腔および第二の分枝管腔を備え、これらの管腔は、遠位管腔から近位に延び、そしてそれぞれ、第一および第二の入口ポートの近位で終結する。第一の入口ポートは、第一の入口管腔を通して経皮経管腔介入デバイスを受容し、第一の分枝管腔に入れるように適合されており、一方で、第二の入口ポートは、第二の入口ポートを通して両側腎臓送達デバイスアセンブリを受容し、そして第二の分枝管腔に入れるように適合されている。経皮経管腔介入デバイスおよび両側腎臓送達デバイスの各々が、遠移管構内で、そして送達管構内でさらに、これらの間での実質的な相互の干渉なしで同時にスライド可能に係合し得るように、第一および第二の分枝管腔は、遠位管腔に対して十分な配向であり、そして第一および第二の分枝管腔ならびに遠位管腔および送達管腔は、十分な寸法である。
【００３１】
本発明の別の局面は、患者における腎臓系に治療を教書送達するためのシステムであり、このシステムはまた、以下のような、導入器シースおよび近位結合器アセンブリを備える。この導入器シースは、細長管状本体を有し、この細長管状本体は、近位端部分、この近位端部分が患者から外側に延びる場合に脈管アクセス部位を横切って患者内に経皮的に配置されるように適合された遠位端部分、および近位端部分に沿った近位ポートと遠位端部分に沿った遠位ポートとの間に延びる長手方向軸に沿って延びる、送達管腔を有する。近位結合器アセンブリは、近位部分および遠位部分を有する。この遠位部分は、遠位管腔アセンブリを備え、そして遠位管腔アセンブリが送達管腔の長手方向軸と実質的に整列した状態で、近位ポートに結合される。近位部分は、第一の分枝管腔、第二の分枝管腔、および第三の分枝管腔を備え、これらの分枝管腔は、遠位管腔アセンブリに結合され、そして遠位管腔アセンブリから近位に延び、そしてそれぞれ、第一、第二、および第三の入口ポートの近位で終結する。第一の入口ポートは、第一の入口ポートを通して経皮経管腔介入デバイスを受容し、そして第一の分枝管腔に入れるように適合される。第二の入口ポートは、第二の入口ポートを通して両側腎臓送達システムの第一の送達部材を受容し、そして第二の分枝管腔に入れるように適合されている。第三の入口ポートは、第三の入口ポートを通して両側腎臓送達システムの第二の送達部材を受容し、そして第三の分枝管腔に入れるように適合されている。従って、両側腎臓送達システムの第一および第二の送達デバイス、ならびに経皮経管腔介入デバイスの各々が、遠位管腔アセンブリ内、およびさらに、送達管腔内で同時に、これらの間での実質的な相互の干渉なしで、スライド可能に係合し得るように、第一、第二の分枝管腔は、遠位管腔アセンブリに対して十分な配向であり、そして第一、第二、および第三の分枝管腔、遠位管腔アセンブリ、ならびに送達管腔は、十分な寸法である。
【００３２】
本発明のさらなる局面は、以下の説明の部分に記載され、ここで、詳細な説明は、本発明の好ましい実施形態を、本発明に対する限定を行うことなく完全に開示する目的である。
【００３３】
本発明は、例示的な目的のみの以下の図面を参照することによって、より完全に理解される。
【発明を実施するための最良の形態】
【００３４】
（発明の詳細な説明）
以下の詳細な説明を参照することにより、そしてさらに図面に関連して、理解されるように、本発明は、原理的には、選択的な腎臓流れのシステムおよび方法に関し、従って、これらは一般に、以下の以前に出願された、同時係属中の米国特許出願（これらは、本願と共有に係る）に開示される主題に関する：Ｋｅｒｅｎらに対する、１９９９年１月１１日に出願された、出願番号０９／２２９，３９０；Ｋｅｒｅｎらに対する、２０００年５月１日に出願された、出願番号０９／５６２，４９３；およびＫｅｓｔｅｎらに対する、２０００年１１月２８日に出願された、出願番号０９／７２４，６９１。これらの以前の特許出願の開示は、その全体が、本明細書中に参考として援用される。
【００３５】
本発明はまた、一般に、以下のような他の公開された国際特許出願に開示される主題の特定の局面に関する：Ｌｉｂｒａ  Ｍｅｄｉｃａｌ  Ｓｙｓｔｅｍｓに対する、２０００年７月２０日に公開された、ＷＯ  ００／４１６１２；およびＬｉｂｒａ  Ｍｅｄｉｃａｌ  Ｓｙｓｔｅｍｓに対する、２００１年１１月８日に公開された、ＷＯ  ０１／８３０１６。これらの公開された国際特許出願の開示もまた、その全体が、本明細書中に参考として援用される。
【００３６】
種々の特定の寸法、構成、および材料が、本明細書中において、種々の実施形態に従って記載され、そして非常に有用であるとみなされる。しかし、このようなものは例示的であり、そして他の改変が、意図される本発明の範囲から逸脱することなく、特定の要件に合うためになされ得ることが意図される。
【００３７】
図面をより具体的に参照すると、例示の目的で、本発明は、一般的に図１〜図２２に示される装置で実施される。本明細書中に開示されるような基本的な概念から逸脱することなく、この装置は、構成および部品の細部において変化し得ること、ならびに方法は、特定の工程および順序に関して変化し得ることが、理解される。
【００３８】
本明細書中に提供される説明は、患者の解剖学的構造における使用に関連する文脈で、医療物質送達のシステムおよび方法に関する。従って、明白な理解を提供する目的で、用語近位とは、システムまたはデバイスの、使用の間に操作者に比較的近い位置を意味すると理解されるべきであり、そして用語遠位とは、システムまたはデバイスの使用の間に、操作者から比較的離れた位置を意味すると理解されるべきである。以下に記載される本実施形態は、一般に、腎臓動脈自体の内部からの腎臓薬物の局所送達に関する；しかし、これらのシステムおよび方法は、これらの実施形態によって示される種々の局面の広範な範囲から逸脱することなく、他の解剖学的領域における、他の医療上体のついての使用のために適切に改変され得る事が、意図される。
【００３９】
一般に、開示される医療送達システムは、流体送達アセンブリ、近位結合器アセンブリ、および１つ以上の細長本体（例えば、管またはカテーテル）を備える。これらの細長本体は、１つ以上の送達管腔を備え得、そして一般に、近位領域、中間領域、および遠位先端領域（または多先端の実施形態の場合には、複数の遠位先端領域）からなり得る。この遠位先端領域は、代表敵に、流体薬剤のような物質を送達するための手段を有する。放射線不透過性マーカーまたは他のデバイスが、この細長本体の特定の領域に結合されて、導入および位置決めを補助し得る。
【００４０】
本発明の材料送達システムは、外科医（代表的に、介入者（心臓学者もしくは放射線学者）または集中治療者（集中治療患者の処置を専門とする医師）のいずれか）によって、適所に配置されることが意図される。外科医は、患者の鼠径部における大腿動脈へのアクセスを、代表的には経皮脈管アクセスのＳｅｌｄｉｎｇｅｒ技術、または他の従来の方法を使用して得る。
【００４１】
図１は、当該分野において存在することが公知であるような、管状ハブ１４に結合された導入器シース１２を備える、標準的な単一ポートのカテーテルアセンブリ１０を図示する。側部ポート１６は、ハブ１４および導入器シース１２と流体連絡しており、そして生理食塩水または他の流体をカテーテルアセンブリ１０に導入するための、弁２０および取付具２２に接続された管１８を有する。止血弁２４は、ハブ１４に結合され、そして導入器シース１２の軸２６上に配置され、そしてガイドワイヤ、カテーテルおよび他の介入デバイス（図示せず）の、ハブ１４への密封可能な導入を可能にする。
【００４２】
図２〜図４は、本発明の実施形態である、近位結合器アセンブリ３０を、平面図、断面図、および斜視図でそれぞれ図示する。示される実施形態において、Ｙ字型のハブ本体３２は、導入器シース取付具３４を備えて構成され、この取付具は、Ｙ字型ハブ本体３２の遠位端３６に外側り部３５、およびハブ本体３２の近位端４０に主要アダプター取付具３８を有する。例示的な実施形態において、主要アダプター取付具３８は、止血弁（図８に示される）と嵌合する。主要分枝４２は、軸４６と整列して導入器シース取付具３４および主要止血アダプター取付具３８（これもまた、軸４６上で整列する）を流体的に接続する、管状主要チャネル４４を有する。例として、限定ではなく、主要チャネル４４は、６フレンチのガイドカテーテル（図示せず）を収容しうる．側部ポート取付具４８は、主要分枝４２上に位置決めされ、そして主要チャネル４４に流体的に接続される。第二の分枝５０は、管状分枝チャネル５２を有し、このチャネルは、予め決定された移行角βで、主要チャネル４４と交差する。二次分枝５０の近位端５４は、二次取付具５６を有する。有利な実施形態において、二次取付具５６は、Ｔｏｕｈｙ  Ｂｏｒｓｔ弁（図８に示される）と嵌合するように適合される。本実施形態において、チャネル制限部５８が、導入器シース取付具３４に成形される。Ｙ字型ハブ本体３２は、一片に成形されても、複数の片から組み立てられてもよい。１つの実施形態において、（図示されない）側部ポート取付具４８は、図１〜図３において主要分枝４２上に示されるものと類似の様式で、二次分枝５０上に配置される。
【００４３】
ここで図５〜図７を参照すると、減少した体積の近位結合器アセンブリ６０の別の有利な実施形態が、平面図、断面図、および斜視図でそれぞれ示される。Ｙ字型ハブ本体６２は、減少したサイズの主要分枝６４および減少した体積の主要チャネル６６と適合される。二次分枝６８および二次チャネル７０もまた、減少した体積を提供する。遠位端３６における導入器シース取付具３４および側部ポート取付具４８は、図２〜図５のものと同じである．主要分枝６４の遠位端４０における止血アダプター取付具７２は、減少した体積の作動のために適合される。二次分枝６８の近位端５４における二次取り付け具７４もまた、減少した体積での作動のために適合される。
【００４４】
図８は、導入器シース７６の近位端７５がＹ字型ハブ本体３２の導入器シース取付具３４に結合された、図２〜図４に記載されるような近位結合器アセンブリ３０を図示する。導入器シースは、導入器シース取付具３４の上にフィットされ、そしてリブ３５（図２〜７に示される）によって固定される。導入器シース７６の遠位端７７は、接頭円錐形状に適合され、導入器シースの挿入および前進を補助する。１つの様式において、導入器シースの遠位端７７は、脈管拡張器を収容するようにさらに適合される。別の様式において、導入器シースの遠位端７７は、放射線不透過性マーカー（図示せず）とさらに適合される。例として、限定ではなく、導入器シースは、約１０フレンチまでの大きさにされ得、そして約８フレンチであり得る。有利な実施形態において、導入器シースは、長さ約３０ｃｍから長さ焼く４５ｃｍである。流体取付具７８および流体弁８０（例えば、コック弁）が、流体管８２を用いて側部ポート４８に接続される。１つの様式において、生理食塩水溶液が、流体弁８０を通して流体取付具７８に導入され、そしてＹ字型ハブアセンブリ３２に入る。止血弁８４は、主要アダプター取付具３８に結合される。Ｔｏｕｈｙ  Ｂｏｒｓｔ弁８６は、二次取付具５６に結合される。止血弁８４、Ｔｏｕｈｙ  Ｂｏｒｓｔ弁８６および導入器シース７６が取り付けられた、近位結合器アセンブリ３０が、キットとして構成され得ることが、理解されるべきである。Ｔｏｕｈｙ  Ｂｏｒｓｔ弁８６は、ハブ本体３２の主要分枝に加えて、またはこの主要分枝の代わりに配置され得、そして同様に、止血弁８４もまた、側部分枝５０に加えて、またはこの側部分枝の代わりに配置され得ることもまた、理解される。同様に、側部ポート４８ならびに付随する流体管８２、流体弁８０、および流体取付具７８は、Ｙ字型ハブ本体３２の側部分枝５０に加えて、またはこの側部分枝の代わりに配置され得ることが、当業者によって理解され得る。
【００４５】
図９は、図８に示されるような近位結合器の別の実施形態を図示し、ここで、近位結合器アセンブリ９０は、Ｙハブアセンブリ９２上で、二次分枝９４と導入器シース取付具９６との間に位置決めされた、側部ポート４８を有する。近位端７５および遠位端７７を有する導入器シース７６は、導入器シース取付具９６において、Ｙ字型ハブアセンブリ９２に結合されて示される。
【００４６】
図１０は、挿入前の流体送達しステム１００を図示する。流体薬剤注入デバイス１０２（創造で示される）が、合成管の遠位端１０４上に配置され、そして送達シース１１０の遠位端１０８内で圧縮される。例として、限定ではなく、送達シース１１０は、直径が約６フレンチ〜約８フレンチ、および長さが約１５ｃｍであり得る。別の実施形態において、合成管は、ニッケル−チタン合金から作製される。トルクハンドル１１２が、合成管１０６に、合成管１０６上の近位位置１１４において結合される．流体注入ポート１１６は、合成管１０６の近位端１１８に位置決めされる．流体注入ポート１１６は、流体注入のためのアダプター１２０に結合される。側部ポート取付具１２２は、管１２４に結合され、そしてさらに、流体弁１２６および流体取付具１２８に結合される。例示的な実施形態において、流体注入ポート１１６は、ルアー取付具のために適合される。別の例示的な実施形態において、側部ポート取付具１２２は、生理食塩水溶液を注入するために使用される。
【００４７】
送達シースハンドル１３０は、送達シース１１０の近位端１３２において位置決めされ、そしてしっかりと取り付けられる。送達シースハンドル１３０は、送達ハンドルタブ１３２および送達ハンドルキャップ１３６をさらに備える。例示的な実施形態において、送達シースハンドル１３０は、送達ハンドルキャップ１３６が取り外され、そして送達ハンドルタブ１３４が引き離される場合に、２つの部品に対称的に分解するように構成される。例として、限定ではなく、剛性管１０６の遠位端１０４は、両側カテーテル、流れ偏向器、および流体を主要な血管または１つ以上の分枝血管に注入するように構成された他のデバイスに結合されるように、構成されうる。例として、限定ではなく、剛性管１０６の遠位端１０４は、放射線不透過性マーカーまたは他の診断デバイスと結合されて、位置決めを補助し得る。
【００４８】
図１１Ａおよび図１１Ｂは、図８に先に示されたようなＹ字型ハブアセンブリ３０に挿入された、図１０に示されるような流体送達システム１００を図示する。Ｙ字型ハブアセンブリ３０は、明白にするために省略されている。図１１Ａにおいて、送達シース１１０は、Ｔｏｕｈｙ  Ｂｏｒｓｔ弁８６を通し、分枝チャネル５２（図３）を通して、送達カテーテル１１０（図１０を参照のこと）がチャネル制限部５８（図３を参照のこと）に対して止まるまで、挿入される。力１４０が、トルクハンドル１１２の遠位方向に付与されて、剛性管１０６を押し、送達管１１０に通す。流体薬剤注入デバイス１０２（図１０を参照のこと）は、導入シース７６内へと遠位に移動する。
【００４９】
図１１Ｂにおいて、合成管１０６は、導入シース７６を通して進められており、そして図１０に示される流体薬剤注入デバイス１０２は、導入シース７６内に展開される。１つの実施形態において、導入器シース７６の遠位端７７は、図１０に示される流体薬剤注入デバイス１０２を展開する前に、腎臓動脈（図１２に示される）の上に位置決めされる。別の実施形態において、導入器シース７６の遠位端７７は、近位方向に引き込まれ、一方で、図１０に示される流体薬剤注入デバイス１０２は、腎臓動脈の近位に位置決めされたままである。送達シース１１０は、Ｙ字型ハブアセンブリ３２の主要チャネル４４（図３を参照のこと）から引き込まれて、医療介入デバイス（図１２を参照のこと）が、主要チャネル４４（図３を参照のこと）を通り、導入器シース７６を通り、そして側部剛性管１０６に沿ってさらに進むために、止血弁８４に入ることを可能にする。１つの様式において、送達シース１１０は、流体薬剤デバイス１０２を導入器シース７６内で位置決めした後に、Ｙ字型ハブアセンブリ３２から取り除かれる。１つの例示的な実施形態において、送達シース１１０は、分離を容易にするためにその周囲上で約１８０°離れて位置する２つの薄い壁を備えて押し出し成形される。１つの様式において、送達シースハンドル１３０は、送達ハンドルキャップ１３６（図１０を参照のこと）を取り外し、そして送達ハンドルタブ１３４を内向きに押すことによって、２つに分離される。送達シースは、送達タブ１３４を引き離すことによって、分離され得る。例として、限定ではなく、送達シース１１０は、引き裂くことによって分離し、そして取り外す前に、Ｔｏｕｈｙ  Ｂｏｒｓｔ弁８６を通して完全に取り外され得る。導入器シース７６および流体送達システム１００を一緒に備える近位結合器アセンブリ３０は、キットとして構成され得ることが理解される。
【００５０】
図１２は、２つの局所流体送達システム１５２、１５４、および大動脈系１５８内の介入カテーテル１５６を備える二重Ｙ字型近位カプラー１５０の様式化された図である。局所送達システム１５２、１５４の詳細は、図１１Ａおよび１１Ｂに示され、明瞭さのためにここでは省略する。二重Ｙ字型近位カプラー１５０は、図２〜図４に示される近位カプラー３０と同様に構成されるが、別の分枝ポートが加えられる。第２の分枝１６０は、右腎動脈１６２での薬物注入のための局所流体送達システム１５２を収容する。第３の分枝１６４は、左腎動脈１６６における薬物注入のための局所流体送達システム１５４を収容する。介入カテーテル１５６は、止血弁１６８を介して二重Ｙ字型近位カプラー１５０に入る。導入シース１７０は、局所流体送達システム１５２、１５４およびカテーテル１５６を同時に収容するような大きさである。図１２は、二重Ｙ字型近位カプラーの同じ側に第２の分枝１６０および第３の分枝１６４を示す；しかし、これらは、反対側または別の有利な構成で位置づけられ得る。限定ではなく例として、局所流体送達システム１５２、１５４の断面は、卵形形状であり得る。限定ではなく例として、二重Ｙ字型近位カプラー１５０は、ガイドワイヤ、診断カテーテル、フローダイバーターおよび注入アセンブリのような医療デバイスの幅広い混合物を、導入器シース１７０を通して大動脈系１５８のような脈管系内に進めるために適合され得る。
【００５１】
図１３Ａは、図１１Ａに示されるものと類似の、カプラーアセンブリ１８０として示される、流体送達システムが装着された近位カプラーを示す。カプラーアセンブリ１８０は、遠位端１８４および近位端１８６を備える導入器シース１８２に連結され、大腿または腸骨動脈アクセス点１９２を介して、患者１９０の大動脈系１８８に挿入される。図１１Ａおよび１１Ｂにおいて先に記載されるように、近位カプラーアセンブリ１８０の詳細は、明瞭さのために省略されている。
【００５２】
図１３Ｂにおいて、導入器シース１８２は、流体薬剤注入デバイス１０２（図１０に示される）を展開し、そして移行ゾーン１９６を作り出すために、方向１９４へと引っ張られている。結果として、導入器シース１８２の近位端１８６は、移行ゾーン１９６の長さに対応する長さだけ、挿入点１９２から外側に引かれる。介入カテーテル１９８は、導入器シース１８２が引っ張られた位置にある場合に、流体薬剤注入デバイス１０２の遠位の標的医療位置（図示せず）に達するように、移行ゾーン１９６の長さを延ばさなければならない。
【００５３】
図１４Ａは、調節可能な導入器シース２０４が遠位端２０６、近位端２０８および調節可能な近位部分２１０を延長した状態で有する、図１３Ａに近位カプラー流体送達アセンブリ１８０を示す。調節可能な導入器シース２０４の調節可能な近位部分２１０は、「アコーディオン」様式で、全体の長さを圧縮し得る、波形をつけた可撓性材料から構成される。
【００５４】
図１４Ｂは、導入器シース２０４の遠位端２０６の方向１９４への引っ張りが、移行ゾーン１９６を作り出す流体薬剤注入デバイス１０２を展開した後のような、圧縮状態の調節可能な近位部分２１０を有する図１４Ａを示す、調節可能な導入器シース２０４を示す。調節可能な導入器シース２０４の近位端２０８は、移行ゾーン１９６の長さの調節可能な近位部分２１０の圧縮のため、挿入点１９２から離れるように引っ張られていない。介入カテーテル２１２は、適切な長さであり、流体薬剤注入デバイス１０２の標的医療位置（図示せず）に達する。
【００５５】
図１５Ａは、図１４Ａに示されるように、調節可能な近位部分２１０が延長した状態で近位端２０８に接続された調節可能な導入器シース２０４を備える近位カプラーアセンブリ１８０のクローズアップを示す。低いプロフィールの外部保持チューブ２２０は、調節可能な近位部分２１０のプレート２２２の上にきちんと位置づけられ、プレート２２２が外側に折り畳まれることを妨げ、従って、調節可能な近位部分２１０が短縮することを妨げる。
【００５６】
図１５Ｂは、外部保持チューブ２２０が調節可能な近位部分２１０から除かれた、図１５Ａに示される調節可能な導入器シース２０４を示す。プリーツ２２２は、外側に折り畳まれ得、調節可能な部分２１０が、方向１９４に短縮し得る。制限ではなく例示として、外部保持チューブ２２０は、導入器シース２０４の別の部分にスライドし得るかまたは引きはがす（ｔｅａｒ−ａｗａｙ）様式で取り除かれ得る。
【００５７】
図１６Ａは、図１４Ａに示されるような拡張状態にある、近位端２０８にて調節可能な導入器シース２０４に結合しており、調節可能な近位セクション２１０を備える、近位結合体アセンブリの別の実施形態を示す。内部支持チューブ２２４が、調節可能な近位セクション２１０中に配置され、その結果、内部支持チューブ２２４の外径は、プリーツ２２２が内側に折畳むのを防ぐ。
【００５８】
図１６Ｂは、図１６Ａにおける調節可能な導入器シース２０４を示し、内部支持チューブ２２４が、調節可能な近位セクション２１０から取り外されている。プリーツ２２が、内側に折畳み、調節可能なセクション２１０が接触するのを可能にする。あるいは、内部支持チューブ２２４は、調節可能な近位セクション２１０の外部操作を介して導入器シース２０４の別のセクション中に配置され得る（示さず）。
【００５９】
図１７Ａは、調節可能な導入器シース２０４の近位端２０８に結合している近位結合器アセンブリ１８０の別の実施形態を示す。導入器シース２０４の調節可能なセクション２１０は、プリーツ２２２、遠位端２２６および近位端２２８を備える。複数の調節ワイヤ２３０が、調節可能なセクション２１０の遠位端２２６にて導入器シース２０４に結合している。明確にするために、ただ１つの調節ワイヤ２３０しか、示さない。ロッキングリング２３２が、調節可能なセクション２１０の近位端２２８と、調節可能な導入器シース２０４の近位端２０８との間に、かつ調節ワイヤ２３０の上に、配置される。ロッキングリング２３２は、半径方向内向きの力または他の手段により調節可能なワイヤ２３０がスライドすることから固定し、それにより、調節可能なセクション２１０を展開状態で保持するような構成である。
【００６０】
図１７Ｂは、図１７Ａに示される調節可能な導入器シース２０４の近位端２０８に結合している近位接続器アセンブリ１８０を示す。ロッキングリング２３２は、拡張されるか、または開放され、それにより、調節可能なワイヤ２３０が、調節可能なセクション２１０を圧縮させる方向１９４に近位にスライドすることを可能にする。ロッキングリング２３２はまた、止め金またはクランプ（示さず）を用いて適合されて、調節可能なワイヤ２３０を固定した後に開放し得る。
【００６１】
図１８は、局所流体送達システム２５２およびカテーテルアセンブリ２５４に結合された、近位結合器アセンブリ２５４を用いる本発明の別の局面の様式図である。図１９Ａおよび図１９Ｂは、近位接続器アセンブリ２５０の長手方向断面をさらに示す。近位接続器アセンブリ２５０は、図２〜図５に示されるものと類似する、Ｔハブ本体２５６を備え、遠位ポート２６０、近位ポート２６２、および二次ポート２６４に、密封可能なアダプター２５８（例えば、Ｔｏｕｈｙ  Ｂｏｒｓｔ弁）を備える。Ｙハブ本体２５６は、遠位ポート２６０と近位ポート２６２とを接続する主チャネル２６６（図１９Ａに示される）と、二次ポート２６４と主チャネル２６６とを接続する二次チャネル２６８（図１９Ａに示される）とを備える。
【００６２】
局所流体送達システム２５２は、ハイポチューブ２７０の遠位端に、流体薬剤注入器デバイス１０２（図１３Ｂに示される）。可撓性送達シース２７２は、近位ハンドル２７４を備える。可撓性送達シース２７２は、ハイポチューブ２７４の遠位端および中部セクションを囲む。ハイポチューブ２７０の近位端は、図１０に以前に示されたように、流体送達用に構成される。
【００６３】
カテーテルアセンブリ２５４は、図１に以前に示されたものと類似する。剛性チューブ２７６が、カテーテルマニホルド２７８（これは、カテーテル２８０を受容するように構成されている）に接続され、近位接続器アセンブリ２５０に近位ポート２６２を通って合成チューブ２７６を用いて接続される。カテーテル２８０は、近位ポート２６０および止血弁２８２を通って、カテーテルマニホルド２７８に入る。１つの有益な実施形態において、カテーテル２８０は、直径６Ｆｒおよび長さ約１００ｃｍである、ガイドカテーテルである。
【００６４】
図１８において、可撓性送達シース２７２が、密封可能なアダプター２５８を通って二次ポート中に挿入され、遠位ポート２６０を通って前進されて、送達シースの遠位端が自動脈の近位にある位置へと到達する。局所流体送達システム２５２のハイポチューブ２７０は、流体薬剤注入器デバイス（図１３Ｂに示される）が腎動脈付近に適所にあるまで、遠位に前進される。送達シース２７２は、ハンドル２７４を引くことにより、近位接続器アセンブリ２５０および二次ポート２６４を通って引き込まれて、図１３Ｂに以前に示されたように、流体薬剤注入器デバイスの近位に開放移行帯を生成する。１つの有益な様式において、送達シースは、約１０ｃｍ引き込まれる。二次ポート２６４にある密封可能なアダプター２５８は、送達シース２７２およびハイポチューブ２７０を適所に強固に保持するように締められる。
【００６５】
図１９Ａにおいて、カテーテルアセンブリ２５４の剛性チューブ２７６が、近位結合器アセンブリ２５０の近位ポート２６２に挿入される。封着可能なバルブ２５８が、明瞭にするために取り除かれている。剛性チューブ２７６は、遠位先端２８４に位置付けられ、遠位先端は、近位ポート２６２を通って、主要チャネル２６６内に進められる。
【００６６】
図１９Ｂにおいて、位置付けられた剛性チューブ２７６の遠位先端２８４は、さらに遠位に進められ、主要チャネル２６６と二次チャネル２６８の分枝において送達シース２７２を穿孔する。剛性チューブ２７６の遠位先端２８４は、ハイポチューブ２７０の隣の送達シース２７２の内側管腔内に位置付けられて示される。近位ポート２６２にある封着可能なアダプター２５８（図１８に示される）は、剛性チューブ２７６を適所にしっかりと固定するように締められる。次いで、カテーテル２８０は、止血バルブ２８２、カテーテルマニホルド２７８および剛性チューブ２７６（図１８に示される）によって遠位に進められ、次いで、送達シース２７２を通り、さらなる医療介入のために送達シース２７２の遠位端から外に出る。
【００６７】
図２０は、平面図であり、図２１は、流体送達デバイスに隣接するカテーテルを挿入する別の様式の切断図であり、ここで、Ｙアセンブリ３００は、導入器シース３０４に係合された遠位端３０２、止血バルブ３０８を備える近位ポート３０６、および分枝ポート上にＴｏｕｈｙ  Ｂｏｒｓｔバルブ３１２を備える分枝ポート３１０を有する。ステンレス鋼のような堅固な材料から作製された、近位中間セクション３１６および近位端３１８を有する送達シース３１４の近位部分は、導入器シース３０４内に遠位端（示さず）を備える止血（ｈｅｏｍｏｓｔａｓｉｓ）バルブ３０８内に挿入される。送達シース３１４の近位端３１８は、図１０において以前に記載されたように、局所流体送達システム３２０に係合される。局所流体送達システムのさらなる詳細は、明瞭にするために、ここでは省略される。ハイポチューブ３２２は、局所流体送達システム３２０上のＴｏｕｈｙ  Ｂｏｒｓｔバルブ３２４を通って送達シース３１４内を遠位に延びる。送達シース３１４の近位中間セクション３１６は、分枝ポート３１０を通って導入されるガイドカテーテル３２８を適合するように構成された、所定の間隔で間を空けた、プレカット穴３２６を有する。好ましい実施形態において、ガイドカテーテル３２８は、長さ約１００ｃｍおよび直径約６Ｆｒである。導入器シース３０４は、図１３Ａにおいて以前に記載されたように、大動脈系内に挿入される。図１３Ｂにおいて以前に示されるような、流体薬剤注入デバイスの展開は、送達シース３１４を所望の位置まで進め、送達シース３１４を通してハイポチューブ３２２を進めて流体薬剤注入デバイス１０２を位置付けすることによって達成される。図１３Ｂにおいて以前に示されるように、流体薬剤注入デバイスは展開され、送達シース３１４が移行帯を形成し得るように引き戻され、そして、１つの実施形態において、送達シース３１４は、約１０ｃｍである。Ｙハブアセンブリ３００は、好ましいプレカット穴３２６’（図２１に示される）が、Ｙハブアセンブリ３００の分枝ポート３１０と並ぶまで、送達シース３１４の近位部分上を、遠位に進めされる。ガイドカテーテル３２８が、分枝ポート３１０上のＴｏｕｈｙ  Ｂｏｒｓｔバルブ３１２を通して導入され、送達シース３２０内の好ましい穴３２６’を通して挿入される。
【００６８】
ガイドカテーテル３２８は、側部ハイポチューブ３２２に沿って送達シース３１４を通して遠位に進められ、最終的に、図１３Ｂにおいて以前に記載されたように、標的部位まで進めされる。Ｙハブアセンブリ３００は、医療手順の間に、送達シース３１４内の全てのプレカット穴３２６を、Ｙハブアセンブリ３００の内側および止血バルブ３０８の遠位に封着されたままにするように、近位にポート３０６を延ばすことによってさらに変更され得る。
【００６９】
図２２は、近位結合器アセンブリ、および図１１Ｂに示すような流体送達アセンブリのさらなる実施形態を例示する。腎臓治療システム３５０は、シースシステム３５２、脈管拡張器３５４、および二股の腎臓カテーテル３６８を備える流体送達システム３５６を備える。図２〜図４において、以前に示されるような、チャネル、生理食塩水システムおよび取付具の詳細は、明瞭にするために省略される。導入器シースシステム３５２は、図３において以前に示されるような種々の内部構造体を備え付けられた、図２〜図４において以前に示されるようなＹハブ本体３６０を有する。Ｙハブ本体３６０は、近位端３６６に止血バルブ３６２を、第二の端３７０にＴｏｕｈｙ  Ｂｏｒｓｔバルブ３６８を有する。Ｙハブ本体３６０の遠位端３７２は、導入器シース３７６の近位端３７４に係合されている。導入器シース３７６は、先端を切り取った円錐形状を有する遠位先端３７８および放射線不透過性のマーカーバンド３８０を有する。１つの実施形態において、導入器シー３７６は、ＰＴＦＥ材料の内側ライナー、内側コイルワイヤ強化剤および外側ポリマージャケットで構成される。導入器シース３７６は、近位端３７４から遠位先端３７８まで測定した、所定の長さＬを有する。
【００７０】
遠位端３８０および近位端３８２を備える脈管拡張器３５４は、ガイドワイヤ（示さず）のための中央管腔を備える、ポリマー（例えば、押出し）チューブである。遠位端３８０は、テーパ型の円錐形状に適合されている。近位端３８２は、Ｌｕｅｒ取付器３８４に係合されている。
【００７１】
流体送達システム３５６は、堅固なチューブ３８６、トルクハンドル３８８および、図１１Ａおよび図１１Ｂにおいて以前に記載されたような近位ハブ３９０を有し、遠位端３９２に二股カテーテル３５８が係合されている。二股カテーテル３５８は、形状記憶材料の２つの遠位拡張部３９３、３９４を有する。各遠位拡張部の３９３、３９４の遠位先端３９５、３９６は、それぞれ、複数の流体ポート（示さず）および放射線不透過性のマーカーバンド３９７を有する。ポリマーチューブ３９８は、遠位拡張部３９３および３９４の近位に位置付けられ、放射線不透過性のマーカーバンド４００を有する。流体送達システム３５６の近位ハブ３９０は、堅固なチューブ３８６と流体係合されている、流体薬剤を注入するためのＬｕｅｒ取付器４０２を有する。
【００７２】
単一の管腔引き剥がし送達シース４０４は、遠位端４０６、近位端４０８を有し、スライドして、堅固なチューブ３８６を覆う。送達シース４０４は、トルクハンドル３８８と二股カテーテル３５８との間に位置付けられる。遠位端４０６は、図３において以前に示されるような、Ｙハブ本体の主要チャネルの遠位端内のチャネル制限と嵌合するように適合された形状および外径を有する。送達シース４０４の近位端４０８は、２つのハンドル４１２および引き剥がしキャップ４１４を備えるハンドルアセンブリ４１０に係合される。
【００７３】
拡張器３５４は、遠位端３８０が導入器シース３７６の遠位先端３７８から押出されて、滑らかな外側の円錐形状を形成するまで、第二のポート３７０上をＴｏｕｈｙ  Ｂｏｒｓｔバルブ３６８を通って挿入される。導入器シース３７６の遠位先端３７８は、腎動脈（示さず）の近くの大動脈系内に位置付けられる。拡張器３５４が取り外され、二股カテーテル３３５８の遠位拡張部３９３および３９４が送達シース４０４内に入るまで、外側シース４０４を遠位にスライドさせることによって、流体送達デバイス３５６が調製される。送達シース４０４の遠位端４０６は、Ｔｏｕｈｙ  Ｂｏｒｓｔバルブ３６８内に挿入され、図３に示されるＹハブ本体の主要チャネル内の制限まで進められる。二股カテーテル３５８は、導入器シース３７６内を遠位に進められる。引き剥がし送達シース４０４は、図１１Ｂにおいて以前に示されたように、Ｔｏｕｈｙ  Ｂｏｒｓｔバルブ３６８を通して引き出され、取り除かれる。二股カテーテル３５８は、導入器シース３７６の遠位先端３７８の外側を遠位に進められ、そして、遠位拡張部３９３および３９４は、その予め形成された形状まで拡張して、腎動脈（示さず）にカニューレを挿入する。
【００７４】
上記の種々の実施形態により提供される特定の利点にも関わらず、多くの状況における治療薬剤の二側方局所腎臓送達に適していると考えられる、本発明の特定の局面をさらに例示するために、図２２において以前に示されたような、腎臓治療システム全体の１つの特に高度に有利な実施形態が、以下のように提供される。
【００７５】
図２〜図４において以前に示されたようなＹハブ本体は、透明な物質から作製され、主要チャネルおよび主要チャネルを横切る二次チャネルを備え付けられている。主要チャネルの遠位端は、図３に示すようなチャネル制限と適合している。Ｙハブ本体は、遠位端に導入器シース取付器を有し、かつ、Ｙハブ本体の主要チャネル内への生理食塩溶液の導入のためのポートを有する。止血バルブは、Ｙハブ本体の主要分枝上の近位取付器に取り付けられ、名目上６フレンチ直径のカテーテルを収容するように構成される。Ｔｏｕｈｙ  Ｂｏｒｓｔバルブは、Ｙハブ本体の二次ポート上の二次取付器に取り付けられる。
【００７６】
導入器シースは、Ｙハブ本体の導入器シース取付器に係合され、ＴＦＥ材料の内側ライナー；内側コイルワイヤ強化剤および外側ポリマージャケットで構成される。名目上８フレンチの導入器シースは、約０．１１６インチの内径と約０．１３８インチの外径を有する。遠位先端は、先を切り取った円錐のような形状であり、脈管拡張器の遠位先端と適合され、放射線不透過性のマーカーバンドを有する。導入器シースの近位端は、外側ポリマージャケットのみから構成され、Ｙハブ本体上の導入器シース取付器に係合するようにフレア型である。１つの高度に有利な実施形態において、複数の導入器シースが、腎臓治療システムに提供されて、異なる生体組織を収容する。図２２に示すような、約３０ｃｍ、約３５ｃｍ、約４０ｃｍ、および約４５ｃｍの名目上の使用可能な長さＬを有する導入器シースが、代表的に含まれるが、他の適切な長さもまた提供され得る。本発明の例において、異なる長さの導入器シースが、各々、一体型の導入器シースシステムとしてＹ本体ハブに係合されるが、このシステムは、後の組立てのために、別々に梱包および販売され得る。
【００７７】
脈管拡張器は、導入器シースの遠位先端部を腎動脈の近位領域にガイドするために、この腎臓治療システムと共に使用される。脈管拡張器は、約０．０４０インチの内部管腔を備える遠位端でテーパ加工され、そして直径約０．０３５インチ〜約０．０３８インチのガイドワイヤの通路に適合されたポリマー押し出し成形物である。脈管拡張器の長さは、シースの遠位先端部から伸展し、また、適切なＹ字型ハブ本体の近位ポートの外側に伸展するために、対応する導入器シースの有効長よりも、名目上約１１ｃｍ長い。脈管拡張器の近位端は、最初に生理食塩水を内部管腔にフラッシングするためのルアー取付具を備える。
【００７８】
経皮的入口点に対する腎動脈の位置が、診断カテーテルを備えるガイドワイヤおよび当該分野で公知の方法を使用して決められた後に、適切な長さの統合型導入器シースシステムが選択される。脈管拡張器は、Ｙ字型ハブの二次分枝上でＴｏｕｈｙ  Ｂｏｒｓｔ弁を通して導入され、そして導入器シースの遠位先端から脈管拡張器の突出部の遠位先端まで進められて、外側に滑らかな円錐形を生じる。生理食塩水のフラッシングは、Ｙ字型本体上のポート、および脈管拡張器の近位ポートを通して導入される。挿入された脈管拡張器を備える導入器シースは、経皮的アクセス点を通って腎動脈の大動脈へガイドワイヤ上を進められる。導入器シースの遠位先端上のマーカーバンドが、位置決めを補助するために蛍光透視と共に使用され得る。導入器シースの遠位先端が腎動脈に、または腎動脈の近くに位置される場合、脈管拡張器およびガイドワイヤが縮められ、そしてＴｏｕｈｙ  Ｂｏｒｓｔ弁を通してＹ字型本体から取り外され、一方で、導入器シースはその場にとどまる。
【００７９】
図１１Ａに既に示されるように、流体送達システムは、Ｙ字型本体への挿入のために準備される。この実施形態において、流体送達システムは、好ましくはニチノールチュービング製の、遠位端、中央の近位部分および近位端を含めて有効長が約７７ｃｍの剛性管を備える。二股カテーテルは、その剛性管の遠位端に接続される。この二股カテーテルの遠位拡張部は、記憶形状を有し、リボンワイヤの内部核を備えるブレード補強したポリマーから作製される。この実施例における各々の遠位拡張部は、放射線不透過性のマーカーを有し、そして遠位先端部またはその近くに２つの注入ポートを備える。各々の遠位拡張部の外径は、名目上約３フレンチである。遠位拡張部の接続部の近位位置において、二股カテーテルが入るポリマー管が存在する。このポリマー管は、二股カテーテルと導入器シースとの相対的な位置決めを補助するために遠位拡張部の接続部の約１ｃｍ〜約１．５ｃｍ近位に配置される２つの放射線不透過性のマーカーを備える。
【００８０】
流体送達システムは、剛性管の中央の近位部分に接続されたトルクハンドルと、剛性管の近位端に接続された近位ハブとを備える。近位ハブは、流体薬剤を注入するためのルアー取付具と、剛性管に流体的に接続された生理食塩水フラッシングポートとを備える。
【００８１】
単一の管腔の剥離送達シースは、剛性管をスライドするように入れており、トルクハンドルと二股カテーテルとの間に位置決めされる。送達シースは、遠位端および近位端を含めて、長さが名目上約１５ｃｍである。遠位端は、図３に既に示されるように、Ｙ字型ハブ本体の主要チャネルの遠位端にチャネル制限部を備える接合部に適合した形状および外径を有する。送達シースの近位端は、２つのハンドルを備えるハンドルアセンブリに接続される。ハンドルアセンブリは、近位端上に剥離キャップを備え、そして剥離キャップが取り外されハンドルが引き離される場合に、ハンドルアセンブリが２つの部分に分離可能なように構成される。送達シースの周辺プロフィールは、ハンドルが引き離される場合に、縦方向に２つの部分に割れやすくなることに対抗する薄い壁の部分と共に構成される。
【００８２】
流体送達システムは、剛性管近位ハブ中の生理食塩水ポートから二股カテーテルの遠位拡張先端における注入ポートへ生理食塩水溶液をフラッシングすることによって準備される。二股カテーテルは、二股カテーテルの遠位拡張部が送達シース内に完全に入るまで、送達シースハンドルに対してカテーテルを引くことによって送達シース中にロードされる。
【００８３】
ロードされた二股カテーテルを備える送達シースの遠位端は、Ｙ字型本体の二次ポート上のＴｏｕｈｙ  Ｂｏｒｓｔ弁を通して、遠位端が主要チャネル中のチャネル制限部に収容されるまで挿入される。剛性管のトルクハンドルにおける遠位力は、二股カテーテルを導入器シース中に進め、好ましくは、遠位拡張部が剥離送達シースの完全に外側かつ導入器シース中にあることを確実にするために、導入器シース中に約１５ｃｍ（剥離送達シースのおおよその長さ）進める。
【００８４】
図１１Ｂで以前記載したように、引き裂き送達シースは、送達シースハンドルアセンブリ上の近位位置において引くことによってＹ字型ハブ本体から引き出される。送達シース引き出しの間、二股カテーテルは、導入シースに留まる。送達シースの遠位端がＹハブ本体から取り除かれる場合、剛性な管にＴｏｕｈｙ  Ｂｏｒｓｔ弁が締められ、流体の損失を防ぐ。引き裂きキャップが、送達シースハンドルアセンブリから除去され、そしてこのハンドルは、送達シースを長手軸方向に引き裂いて分離されて二つになり、剛性の管から除去され、廃棄される。
【００８５】
二股カテーテルは、Ｙ字型ハブ本体に対し、トルクハンドルでの剛性の管の遠位運動により導入シースの遠位チップに進められる。蛍光顕微鏡の手引きを使用して、二股カテーテルは、導入シースの遠位チップの外に進められる。二股カテーテルは、トルクハンドルを通じて操作され、導入シースは同時に引き出され、そして遠位伸長部は、大動脈内でその記憶形状に曲がり、腎動脈にカニューレ挿入される。一旦遠位伸長が導入シースの遠位チップの外に完全に伸長して腎動脈内に配置されると、導入シースの遠位チップは、二股カテーテルのポリマー管上のマーカーバンドの少なくともすぐ近位に引き出され、介入カテーテルの進行を可能にし、一方、二股カテーテルは、その場に留まる。導入シースが配置されるのに伴い、Ｔｏｕｈｙ  Ｂｏｒｓｔ弁が締められ、導入シース内の二股カテーテルのさらなる運動を防ぐ。
【００８６】
導入シースは、縫合されるか、またはそうでなければ経皮入り口部位もしくはその近くで制御され、その後の手順の間のシース運動を妨げる。液体薬剤は、ここで流体送達システムの近位ポートを通して、剛性の管および腎動脈内へ、図２２で示す二股カテーテルと類似の二股カテーテルを通じて送達される。
【００８７】
医療介入手順（冠状動脈手順）は、Ｙ字型ハブ本体の近位取り付け具上の止血弁を介した、適切なガイドワイヤおよびカテーテルの挿入によって開始される。この例において、名目上６つのフレンチカテーテルは、導入シースを通り、剛性チューブの側に沿って、有意な抵抗無しに進められる。
【００８８】
医療介入が完了した場合、介入カテーテルおよびガイドワイヤを引き出し、そして止血弁を通ってＹ字型ハブ本体から除去される。液体薬剤送達は、しばしば停止される。Ｔｏｕｈｙ  Ｂｏｒｓｔ弁は、緩められ、そして剛性チューブのトルクハンドルは、Ｙ字型ハブ本体に対して近位に引かれ、二股カテーテルの遠位伸長を腎動脈の外に引き出し、そして導入シースに引き入れる。導入シースは、経皮入口点から引き出され、そして入口点は、標準的医療手順により閉じられる。
【００８９】
本発明について、本明細書中の種々の実施形態は、腎臓を指向する処置および治療（例えば、ヨウ素標識した造影物質を用いる診断手順から生じるＸ線コントラスト腎症（ＲＣＮ）の予防）において有用である。ＲＣＮ発症の危険度が高いと同定されている介入手順を受ける患者についての予防処置方法として、腎臓への局所的な治療剤の送達に基づき、一連の処置スキームが、開発されている。薬剤の中で、生理食塩水（ＮＳ）および血管拡張剤パパベリン（ＰＡＰ）およびフェノルドパム（ｆｅｎｏｌｄｏｐａｍ）メシレート（ＦＭ）が、このような処置のために同定されている。
【００９０】
フェノルドパムについての認可された使用は、迅速であるが、急速に可逆的ではなく、血圧低下が必要である場合の、高血圧の入院介入処置のための使用である。フェノルドパムは、約０．０１ｍｃｇ／ｋｇ／分〜約０．５ｍｃｇ／ｋｇ／分ＩＶと同じ程度の低さの全身的投薬において、腎血管拡張を引き起こし、そして腎皮質と腎髄質との両方に対し血流を増加する。この生理学に起因して、フェノルドパムは、危険性の高い外科的手順およびコントラスト腎症のような虚血性発作からの腎臓の保護のために使用され得る。約０．０１〜約３．２ｍｃｇ／ｋｇ／分、または腎動脈（または腎臓）につき約．００５〜約１．６２ｍｃｇ／ｋｇ／分の投薬は、本発明の実施形態の殆どの適用のために好適であると考えられる。上述のように、多くの場合、これは、開始用量を選択し、患者の最大耐用前進用量を決定するために上下に滴定することにおいて、有用であり得る。しかし、近年のデータは、コントラスト腎症の予防において約０．２ｍｃｇ／ｋｇ／分のフェノルドパムは、約０．１ｍｃｇ／ｋｇ／分よりも大きな効率を有することが示唆されており、この用量が好ましい。
【００９１】
腎臓動脈に、両側に送達される通常の生理食塩水の用量レベルは、実験的に設定され得るか、または、滴定によって決定されるように、有利に変更され得る。カテーテルまたは注入ポンプ設計は、送達され得る液体の量に現実的な制限を与え得る；しかし、可能な限り多く与えることが望まれ、１時間あたり、約２Ｌもしくは１Ｌまでのレベル（平均約１８０ｌｂの患者に、約２５ｃｃ／ｋｇ／時間）、または腎臓当たり１２．５ｃｃ／ｋｇまでのレベルが有益であり得ることが企図される。
【００９２】
両側カテーテルを介した約４ｍｇ／分まで、または約２ｍｇ／分までのパパベリンの局所的投薬は、動物試験において安全であることが示されていて、カテーテルへの約２ｍｇ／分および約３ｍｇ／分の局所的腎臓投薬は、ヒト被験体において、腎臓血流速度を増加させること、または、動脈もしくは腎臓については、約１ｍｇ／分〜約１．５ｍｇ／分の投薬が、血流速度を増加させることが示されている。従って、パパベリンの局所的両側腎臓送達が、既に危険因子（例えば、高い血清クレアチニンのベースライン、糖尿病または他の損傷した腎機能の証拠）が存在する患者におけるＲＣＮの危険性を減少させるのに役立つと考えられている。
【００９３】
さらなる実施形態に従うパパベリンの非常に低い、全身への用量が投与され得ることも企図され得、その投与は、単独で、または他の医学的対応（例えば、予測される、対照となる傷害の前の生理食塩水の負荷）と組み合わせるかのいずれかであり得る。このような用量は、例えば、約３〜約１４ｍｇ／時（約３時間毎に、約１０〜４０ｍｇのボーラス指標に基づいて−パパベリンは、一般的に体重当たりで投薬されない）の次数であり得る。代替的な実施形態においては、２〜３ｍｇ／分、または１２０〜１８０ｍｇ／時の投薬である。再度、局所的両側送達との関連で、これらは、各動脈自体に対する用量割合に関して、等分されていると考えられる。
【００９４】
前述の化合物のそれぞれに対するこの用量範囲の特定の利益にも関わらず、局所的に送達されるより高い用量が安全であると考えられる。滴定は、より高い用量に対する耐性を試験するための性能を提供すると考えられるさらなる機構である。さらに、記載された治療用量は、単独で、または、全身性処置（例えば、静脈内生理食塩水）と組み合わせて、送達され得る。
【００９５】
本発明が、非常に有益であり得、そして特定の利益を提供し得る他の実施形態で実施され得ることが理解されるべきである。例えば、導入器シースおよび腎臓内部のカテーテルを操作し、配置するための、蛍光透視法とともに用いるための放射線不透過性のマーカーが、上に示され、記載される。必要とされる蛍光透視装置および補助装置デバイスは、代表的に、本発明の使用を、インビボでその位置へ限定する特定の位置に配置される。腎臓内カテーテルを配置する他の様式は、蛍光透視の制限を克服するのに、非常に有益である。例えば、非蛍光透視に導かれる技術は、手術室、集中治療施設および緊急治療室における使用に、非常に有益であって、ここでは、蛍光透視は容易に利用可能ではないか、またはその使用は、血管造影室などには通常存在する特定の放射線保護対策が欠如するために、使用者および他の人への過度の放射線曝露を引き起こし得る。非蛍光透視配置の使用は、腎臓内カテーテルシステムおよび方法が、他の疾患（例えば、血管造影室またはカテーテル研究室の外の臨床状況におけるＡＴＮおよびＣＨＦ）を処置するために使用されることを可能にする。
【００９６】
一実施形態において、腎臓内カテーテルは、超音波技術を用いて可視的である金属を含むマーカーバンドを組み込むように改変される。超音波センサーは、視野を得るために、身体の表面の外側に配置される。一つの改変では、携帯型の、非侵襲性の超音波器具が、身体の表面上に配置され、そして、両方の腎臓口の位置にデバイスを位置付けるために、周囲を移動する。この技術は、大動脈、両方の腎臓口および腎臓内カテーテルを観察するために使用される。
【００９７】
別の有益な実施形態において、超音波センサーは、導入器シース上および腎臓内カテーテルそれ自体の上に配置され；特に、遠位伸長部の先端に、カテーテルの遠位伸長部に沿って、または遠位末端に配置される。導入された超音波センサーを備える腎臓内カテーテルは、医師に、両方の腎臓口を位置付けるために、大動脈の上および下にセンサーを移動させることを可能にする。
【００９８】
さらなる実施形態は、ドップラー超音波検査法を腎臓内カテーテルと組み合わせる。ドップラー超音波検査法は、血流の向き、速度および乱流を検出する。腎動脈は、大動脈に沿って単離されるので、生じる速度および乱流は、両方の腎臓口を位置付けるために使用される。ドップラー超音波検査法のさらなる利点は、それが、非侵襲性であって、Ｘ線を使用しないことである。
【００９９】
なおさらなる実施形態は、腎臓内カテーテルを用いた光学技術を含む。光学センサーは、導入器シースの先端に配置される。この導入器シースの光学センサーは、この導入器シースの先端周辺の領域を可視化させて、腎臓口を位置付ける。この実施形態のさらなる様式においては、透明なバルーンが、導入器シースの遠位先端周辺に位置決めされる。このバルーンは、膨張されて、腎臓口の光学的、視覚的確認を可能にする。バルーンは、大動脈血流を分ける一方で、導入器シースの先端と光学センサーとの間に距離をおくようにさせる。その距離は、大動脈内の画像を可視化させる能力を増強する。さらなる様式においては、このバルーンは、大動脈壁との接触を維持する一方で、このバルーンの壁を通した灌流（profusion)を可能にするように適合される。壁の接触を可能にする利点は、バルーンが腎臓口近くで膨張されて、光学センサーで視覚的に見られ得ることである。別の様式においては、光学センサーは、腎臓内カテーテルの遠位先端に配置される。一旦この腎臓内カテーテルが大動脈内に配置された場合、光学センサーは、大動脈壁の視覚的確認を可能にする。腎臓内カテーテルは、腎臓口の視覚的確認が得られるまで大動脈を行き来する。この様式によってもたらされた光学画像を用いて、医師は、腎臓内カテーテルを腎動脈内へ所定の深さまで進め得る。
【０１００】
別の実施形態は、圧力、速度、および／もしくは流速を測定するセンサーを使用して、蛍光透視装置の必要なしに、腎臓口を位置付ける。このセンサーは、腎臓内カテーテルの遠位延長部の先端に位置決めされる。このセンサーは、圧力、速度、および／もしくは流速についてのリアルタイムデータを表示する。提供されたリアルタイムデータを用いて、医師は、腎臓内カテーテルが腎臓口のおおよその位置の周辺にある場合、センサーのデータを観察することによって、両腎臓口を位置付ける。この実施形態のさらなる様式においては、腎臓内カテーテルは、このカテーテル上の中遠位位置および中近位位置に位置決めされた複数のセンサーを有して、中遠位センサーおよび中近位センサーのデータを得る。これらのリアルタイムデータから、医師は、腎動脈の上下での有意な流速差を観察し得、そしておおよその位置を位置付けし得る。腎動脈は、その領域内で唯一の有意に大きな管であるので、センサーは、このセンサーのパラメータのいずれかに優位な変化を検出する。
【０１０１】
なおさらなる実施形態においては、化学センサーが腎臓内カテーテル上に位置決めされて、血液の化学的性質の任意の変化を検出し、腎臓口の位置を医師に示す。化学センサーは、腎臓内カテーテル上の複数の位置に位置決めされて、一つのセンサー位置から他への化学変化を検出する。
【０１０２】
本明細書中に示されそして記載された実施形態によって、記載された種々の独立の局面に従って広く利益を享受できるとみなされる本発明の意図された範囲から離れることなく、さらなる改変もしくは改良が行われ得る。例えば、本発明の実施形態に対する種々の改変もしくは本発明の実施形態との組み合わせは、この開示を改正して、および本発明の意図された範囲内のままで、当業者に利用可能な他の情報を考慮して行われ得る。
【０１０３】
上記の記載は多くの詳細を含むが、これらは、本発明の範囲を限定するものとしてではなく、この発明の現在の好ましい実施形態の、いくつかの説明を提供するもののみとして解釈されるべきである。したがって、本発明の範囲が、当業者に明らかとなり得る他の実施形態を完全に含むこと、そして、ゆえに本発明の範囲が、添付の特許請求の範囲以外によって限定されるべきでないことが、予期される。ここで、単数形での要素への参照は、明らかにそのように述べられない限り、「一および一のみ」と意味することを意図されず
むしろ「一以上」と意味することを意図される。当業者に公知である、上記の好ましい実施形態の要素に対する全ての構造的、化学的、および機能的等価物は、明白に、本明細書中において参考として援用され、そして本発明の特許請求の範囲に含まれることが意図される。さらに、本発明によって解決されることが求められる各々および全ての問題に対処するためのデバイスもしくは方法は、必要ではない。なぜなら、それらは、本発明の特許請求の範囲によって包含されるはずだからである。さらに、本開示の要素、部品、もしくは方法工程は、この要素、部品、もしくは方法工程が、特許請求の範囲に明示されているかどうかに関わらず、公共に供することを意図されない。本明細書中の特許請求の範囲は、この要素が、用語「手段」を用いて明示されない限り、米国特許法112条６項の条項の下に解釈されるべきではない。
【図面の簡単な説明】
【０１０４】
【図１】図１は、当該分野において存在することが公知であるような、標準的な単一ポートのカテーテルアセンブリを図示する。
【図２】図２は、本発明に従う近位結合器アセンブリを、平面図で図示する。
【図３】図３は、図２の近位結合器アセンブリを、図４の線３−３に沿って見た断面図である。
【図４】図４は、図２の近位結合器アセンブリを、斜視図で図示する。
【図５】図５は、本発明に従う、減少した体積の近位結合器アセンブリの実施形態を、平面図で図示する。
【図６】図６は、図５の近位結合器アセンブリを、図７の線６−６に沿って見た断面図で図示する。
【図７】図７は、図５の近位結合器アセンブリを、斜視図で図示する。
【図８】図８は、導入器シースが遠位端に取り付けられた、図２の近位結合器アセンブリの実施形態を図示する。
【図９】図９は、側部ポートが二次分枝と導入器シースとの間に配置された、図８の別の実施形態を図示する。
【図１０】図１０は、本発明の１つの実施形態に従う、局所流体送達システムを図示する。
【図１１Ａ】図１１Ａは、近位結合器アセンブリの分枝ポート内の、図１０に示されるような局所流体送達システムを図示する。
【図１１Ｂ】図１１Ｂは、剛性な管が進められ、そして引き裂きシースが分離された、図１１Ａに示されるような局所流体システムを図示する。
【図１２】図１２は、２つの局所流体送達システムおよび介入カテーテルが、本発明に従って、患者の大動脈系内に配置されている、二重Ｙ字型アセンブリの組み立てられた図示である。
【図１３Ａ】図１３Ａは、導入器シースが患者の大動脈系に挿入された、図１１Ａに示されるものと類似の近位結合器アセンブリを図示する。
【図１３Ｂ】図１３Ｂは、挿入点から引き込まれ、そして引き出された、図１３Ａに示される導入器シースの図示である。
【図１４Ａ】図１４Ａは、拡張状態の調節可能導入器シースを図示する。
【図１４Ｂ】図１４Ｂは、圧縮状態の、図１４Ａに示される調節可能導入器シースを図示する。
【図１５Ａ】図１５Ａは、外部保持管がプリーツを覆って配置された、調節可能導入器シースを図示する。
【図１５Ｂ】図１５Ｂは、外部保持管がプリーツから取り外された、図１５Ａにおける調節可能導入器シースを図示する。
【図１６Ａ】図１６Ａは、プリーツが内向きに折り畳まれることを防止するように内部支持管が配置されている、拡張状態の調節可能導入器シースの別の実施形態を図示する。
【図１６Ｂ】図１６Ｂは、内部支持管が除去された、圧縮状態の図１６Ａの調節可能導入器シースを図示する。
【図１７Ａ】図１７Ａは、プリーツ、支持ワイヤおよびロッキングリングを備える、調節可能導入器シースの別の実施形態を図示する。
【図１７Ｂ】図１７Ｂは、支持ワイヤが引き込まれ、そして調節可能セクションが圧縮された、図１７Ａに示される調節可能導入器シースを図示する。
【図１８】図１８は、局所流体送達システムを有する近位結合器システム、および剛性管を有するカテーテルアセンブリの、別の実施形態の組み立てられた図示である。
【図１９Ａ】図１９Ａは、剛性管が近位ポートを通して進められた、図１８の切り取り断面図である。
【図１９Ｂ】図１９Ｂは、剛性管の尖った遠位先端が送達シースを穿孔していることを示す、図１９Ａの切り取り図の断面図である。
【図２０】図２０は、予め切断された穴を有する送達管を使用して、二次ポートを通して近位結合器アセンブリ内にカテーテルを挿入する、別の様式を図示する。
【図２１】図２１は、送達シースを通して進められたハイポチューブ、および送達シース内の予め切断された穴を通って入る案内カテーテルを図示する、図２０の断面図である。
【図２２】図２２は、導入器シースシステム、脈管拡張器、および二股腎臓カテーテルを有する流体送達システムを備える、腎臓治療システムを図示する。
【図１】
2006513809.tif 000003
【図２】
2006513809.tif 000004
【図３】
2006513809.tif 000005
【図４】
2006513809.tif 000006
【図５】
2006513809.tif 000007
【図６】
2006513809.tif 000008
【図７】
2006513809.tif 000009
【図８】
2006513809.tif 000010
【図９】
2006513809.tif 000011
【図１０】
2006513809.tif 000012
2006513809.tif 000013
2006513809.tif 000014
【図１２】
2006513809.tif 000015
2006513809.tif 000016
2006513809.tif 000017
2006513809.tif 000018
2006513809.tif 000019
2006513809.tif 000020
2006513809.tif 000021
2006513809.tif 000022
【図１８】
2006513809.tif 000023
2006513809.tif 000024
【図２０】
2006513809.tif 000025
【図２１】
2006513809.tif 000026
【図２２】
2006513809.tif 000027
【国際調査報告】
2006513809.tif 000028